(57)【要約】  将来の無線通信システムにおいて所定のＤＣＩフォーマットおよび当該所定のＤＣＩフォーマットに含まれるＴＰＣコマンドを適切に適用するために、本開示のユーザ端末の一態様は、１以上のコンポーネントキャリアの上りリンク送信に適用する送信電力制御（ＴＰＣ：Transmit  Power  Control）コマンドを含む下り制御情報（ＤＣＩ：Downlink  Control  Information）を受信する受信部と、前記ＤＣＩのモニタ動作が指示された所定のコンポーネントキャリアにおいて前記ＤＣＩを監視する制御部と、を有する。
2020008647.tif 000002
【特許請求の範囲】
【請求項１】
１以上のコンポーネントキャリアの上りリンク送信に適用する送信電力制御（ＴＰＣ：Transmit  Power  Control）コマンドを含む下り制御情報（ＤＣＩ：Downlink  Control  Information）を受信する受信部と、
前記ＤＣＩのモニタ動作が指示された所定のコンポーネントキャリアにおいて前記ＤＣＩを監視する制御部と、を有することを特徴とするユーザ端末。
【請求項２】
前記制御部は、前記ＤＣＩのモニタ動作が複数のコンポーネントキャリアに対して設定されないと想定することを特徴とする請求項１に記載のユーザ端末。
【請求項３】
前記制御部は、複数のコンポーネントキャリア上で前記ＤＣＩを監視することを特徴とする請求項１に記載のユーザ端末。
【請求項４】
前記制御部は、スロットごとに複数の前記ＤＣＩを受信することが設定されないと想定することを特徴とする請求項１から請求項３のいずれかに記載のユーザ端末。
【請求項５】
前記制御部は、前記ユーザ端末の処理時間能力によって、前記ＴＰＣコマンドの累積タイミングを設定することを特徴とする請求項１から請求項４のいずれかに記載のユーザ端末。
【請求項６】
前記制御部は、前記第１の上りリンク送信および前記第１の上りリンク送信の後に送信される第２の上りリンク送信に対して、前記第１の上りリンク送信をスケジュールする第１のＤＣＩより前に受信した前記第２の上りリンク送信をスケジュールする第２のＤＣＩに含まれるＴＰＣコマンドを累積して適用するよう制御することを特徴とする請求項１から請求項５のいずれかに記載のユーザ端末。
【発明の詳細な説明】
【技術分野】
【０００１】
本発明は、次世代移動通信システムにおけるユーザ端末に関する。
【背景技術】
【０００２】
既存のＬＴＥシステム（たとえば、Ｒｅｌ．８−１４）では、ユーザ端末（ＵＥ：User  Equipment）は、基地局（ｅＮＢ：eNode  B）からの送信電力制御（ＴＰＣ：Transmission  Power  Control）コマンドに従って、上り共有チャネル（たとえば、ＰＵＳＣＨ：Physical  Uplink  Shared  Channel）または上り制御チャネル（たとえば、ＰＵＣＣＨ：Physical  Uplink  Control  Channel）の送信電力を制御する。【０００３】
既存のＬＴＥシステムでは、共通サーチスペースにおいて送信される下り制御情報（ＤＣＩ：Downlink  Control  Information）フォーマット３ＡまたはＤＣＩフォーマット３（以下、ＤＣＩフォーマット３Ａ／３とも記す）により、複数のユーザ端末に対するＴＰＣコマンドが送信される。
【先行技術文献】
【非特許文献】
【０００４】
【非特許文献１】3GPP  TS  36.213  V13.8.0  “Evolved  Universal  Terrestrial  Radio  Access  (E-UTRA);  Physical  layer  procedures  (Release  13)”、２０１７年１２月
【発明の概要】
【発明が解決しようとする課題】
【０００５】
将来の無線通信システム（たとえば、５Ｇ、５Ｇ＋、ＮＲ、Ｒｅｌ．１５以降）では、複数のユーザ端末に対して、まとめてＴＰＣコマンドを通知することが検討されている。たとえば、共通サーチスペースにおいて送信されるＤＣＩフォーマット２＿２は、ＰＵＳＣＨおよびＰＵＣＣＨの少なくとも一方のＴＰＣコマンドの送信に用いられる。共通サーチスペースにおいて送信されるＤＣＩフォーマット２＿３は、１以上のユーザ端末によるサウンディング参照信号（ＳＲＳ：Sounding  Reference  Signal）送信のための１組のＴＰＣコマンドの送信に用いられる。【０００６】
しかしながら、将来の無線通信システム（たとえば、ＮＲ）における、所定のＤＣＩフォーマット（たとえば、ＤＣＩフォーマット２＿２／２＿３）および当該所定のＤＣＩフォーマットに含まれるＴＰＣコマンドの適用に関する制限事項のいくつかは明らかではない。【０００７】
本発明はかかる点に鑑みてなされたものであり、将来の無線通信システムにおいて、所定のＤＣＩフォーマットおよび当該所定のＤＣＩフォーマットに含まれるＴＰＣコマンドを適切に適用できるユーザ端末を提供することを目的の１つとする。
【課題を解決するための手段】
【０００８】
本発明のユーザ端末の一態様は、１以上のコンポーネントキャリアの上りリンク送信に適用する送信電力制御（ＴＰＣ：Transmit  Power  Control）コマンドを含む下り制御情報（ＤＣＩ：Downlink  Control  Information）を受信する受信部と、前記ＤＣＩのモニタ動作が指示された所定のコンポーネントキャリアにおいて前記ＤＣＩを監視する制御部と、を有することを特徴とする。
【発明の効果】
【０００９】
本発明によれば、将来の無線通信システムにおいて、所定のＤＣＩフォーマットおよび当該所定のＤＣＩフォーマットに含まれるＴＰＣコマンドを適切に適用できる。
【図面の簡単な説明】
【００１０】
【図１】ＮＲにおいて複数の制御領域が配置される一例を示す図である。
【図２】ＮＲスケジューリングタイミングの一例を示す図である。
【図３】図３Ａおよび図３Ｂは、第１の態様に係る、ＤＣＩが送信されるコンポーネントキャリアと、送信電力制御の対象となる各チャネルが送信されるコンポーネントキャリアとの関係を示す図である。
【図４】図４Ａおよび図４Ｂは、第１の態様に係る、ＤＣＩが送信されるコンポーネントキャリアと、送信電力制御の対象となる各チャネルが送信されるコンポーネントキャリアとの関係を示す図である。
【図５】第１の態様に係る、ＤＣＩが送信されるコンポーネントキャリアと、送信電力制御の対象となる各チャネルが送信されるコンポーネントキャリアとの関係を示す図である。
【図６】図６Ａおよび図６Ｂは、第１の態様に係る、ＤＣＩが送信されるコンポーネントキャリアと、送信電力制御の対象となる各チャネルが送信されるコンポーネントキャリアとの関係を示す図である。
【図７】ＮＲにおける、送信機会ｉにおけるＰＵＳＣＨの電力制御調整状態の一例を示す図である。
【図８】図８Ａ、図８Ｂおよび図８Ｃは、第２の態様に係る、ＤＣＩの受信タイミングの一例を示す図である。
【図９】第４の態様に係る、複数のＴＰＣコマンドを累積する条件について一例を示す図である。
【図１０】本実施の形態に係る無線通信システムの概略構成の一例を示す図である。
【図１１】本実施の形態に係る無線基地局の機能構成の一例を示す図である。
【図１２】無線基地局のベースバンド信号処理部の機能構成の一例を示す図である。
【図１３】本実施の形態に係るユーザ端末の機能構成の一例を示す図である。
【図１４】ユーザ端末のベースバンド信号処理部の機能構成の一例を示す図である。
【図１５】本発明の一実施形態に係る無線基地局およびユーザ端末のハードウェア構成の一例を示す図である。
【発明を実施するための形態】
【００１１】
将来の無線通信システム（たとえば、ＮＲ）では、高信頼かつ低遅延通信（ＵＲＬＬＣ：Ultra-Reliable  and  Low-Latency  Communications）を提供するため、高い遅延削減が要求される。遅延には、信号の伝搬時間による遅延（伝搬遅延）と、信号の処理時間による遅延（処理遅延）が含まれる。
【００１２】
遅延削減の方法として、既存のＬＴＥシステムにおける１ｍｓのサブフレーム（ＴＴＩ：Transmission  Time  Interval）より短いＴＴＩ（ショートＴＴＩ）を導入して通信制御の処理単位を短縮することが想定される。ここで、既存のＬＴＥシステムにおける１ｍｓのＴＴＩは、通常ＴＴＩ（ｎＴＴＩ：normal  TTI）と呼ばれてもよい。通常ＴＴＩ（ｎＴＴＩ）より短いＴＴＩは、短縮ＴＴＩ（ｓＴＴＩ：shortened  TTI）と呼ばれてもよい。既存のＬＴＥシステムにおける処理時間は、通常処理時間と呼ばれてもよい。通常処理時間より短い処理時間は、短縮処理時間（shortened  processing  time）と呼ばれてもよい。
【００１３】
短縮ＴＴＩ（ｓＴＴＩ）を設定されるユーザ端末は、既存のデータチャネルおよび制御チャネルより短い時間単位のチャネルを用いるよう構成される。たとえば、短縮ＴＴＩ（ｓＴＴＩ）で送信または受信される短縮チャネルとして、短縮下り制御チャネル（ｓＰＤＣＣＨ：shortened  Physical  Downlink  Control  channel）、短縮下り共有チャネル（ｓＰＤＳＣＨ：shortened  Physical  Downlink  Shared  Channel）、短縮上り制御チャネル（ｓＰＵＣＣＨ：shortened  PUCCH）、短縮上り共有チャネル（ｓＰＵＳＣＨ：shortened  PUSCH）などが検討されている。
【００１４】
短縮ＴＴＩが設定される場合、周波数分割複信（ＦＤＤ：Frequency  Division  Duplex）と時間分割複信（ＴＤＤ：Time  Division  Duplex）における短縮ＴＴＩ、および、上りリンクと下りリンクにおける短縮ＴＴＩの少なくとも一方における短縮ＴＴＩを、それぞれ独立して設定することも可能である。たとえば、ＦＤＤにおいて、少なくとも上りリンクにおける短縮ＴＴＩのＴＴＩ長を、下りリンクにおける短縮ＴＴＩのＴＴＩ長より長く設定することができる。
【００１５】
既存のＬＴＥシステムでは、下り制御情報に含まれる送信電力制御（ＴＰＣ）コマンドなどに基づいて、上り信号の送信電力を制御する。上り共有チャネル（ＰＵＳＣＨ）の送信電力を制御するＴＰＣコマンドは、ＤＣＩフォーマット０／４を送信する下り制御チャネル（ＰＤＣＣＨ／ＥＰＤＣＣＨ（Enhanced  PDCCH））、ＤＣＩフォーマット６−０Ａを送信する下り制御チャネル（ＭＰＤＣＣＨ（Machine  type  communication（MTC）PDCCH））、ＤＣＩフォーマット３／３Ａを送信する下り制御チャネル（ＰＤＣＣＨ／ＭＰＤＣＣＨ）に含まれる。ＤＣＩフォーマット３／３Ａは、ＰＵＳＣＨのＴＰＣ用の識別子（ＴＰＣ−ＰＵＳＣＨ−ＲＮＴＩ（Radio  Network  Temporary  Identifier））によって巡回冗長検査（ＣＲＣ：Cyclic  Redundancy  Check）スクランブルされてもよい。
【００１６】
ユーザ端末は、サブフレーム（ＳＦ＃ｉ）においてＰＵＳＣＨを送信する場合、所定値（たとえば、Ｋｐｕｓｃｈ）だけ前のサブフレーム（ＳＦ＃ｉ−Ｋｐｕｓｃｈ）に含まれるＴＰＣコマンドに基づいて当該ＰＵＳＣＨの送信電力を制御する。ＦＤＤの場合、ユーザ端末は、Ｋｐｕｓｃｈ＝４を適用する。ＴＤＤの場合、ユーザ端末は、ＵＬ／ＤＬ構成に応じてＵＬサブフレームごとに定義されたＫｐｕｓｃｈを適用する。
【００１７】
上り制御チャネル（ＰＵＣＣＨ）の送信電力を制御するＴＰＣコマンドは、ＤＣＩフォーマット１Ａ／１Ｂ／１Ｄ／１／２Ａ／２／２Ｂ／２Ｃ／２Ｄを送信する下り制御チャネル（ＰＤＣＣＨ／ＥＰＤＣＣＨ）、ＤＣＩフォーマット６−１Ａを送信する下り制御チャネル（ＭＰＤＣＣＨ）、ＤＣＩフォーマット３／３Ａを送信する下り制御チャネル（ＰＤＣＣＨ／ＭＰＤＣＣＨ）に含まれる。ＤＣＩフォーマット３／３Ａは、ＰＵＣＣＨのＴＰＣ用の識別子（ＴＰＣ−ＰＵＣＣＨ−ＲＮＴＩ）によってＣＲＣスクランブルされてもよい。
【００１８】
ユーザ端末は、サブフレーム（ＳＦ＃ｉ）におけるＰＵＣＣＨ送信に対して、所定値（たとえば、ｋｍ）だけ前のサブフレーム（ＳＦ＃ｉ−ｋｍ）に含まれるＴＰＣコマンドを利用して、以下の式（１）に基づいて当該ＰＵＣＣＨの送信電力を制御する。
【００１９】
【数１】
2020008647.tif 000003
【００２０】
式（１）において、ｇ（ｉ）は、現在のＰＵＣＣＨ電力制御の調整状態（current  PUCCH  power  control  adjustment  state）であり、ｇ（０）はリセット後の最初の値に相当する。Ｍは、ＴＰＣコマンドに対応するサブフレーム数に相当する。
【００２１】
ＦＤＤまたはＦＤＤ−ＴＤＤキャリアアグリゲーションでプライマリセルがＦＤＤの場合には、Ｍ＝１，ｋｍ＝４としてＰＵＣＣＨの送信電力を制御する。ＴＤＤの場合には、Ｍおよびｋｍの値は、ＵＬ／ＤＬ構成に応じてＵＬサブフレームごとに定義された値を適用する。
【００２２】
ユーザ端末は、Ｍが複数ある場合、すなわちＭ＞１の場合、複数のＤＬサブフレームで送信されるＴＰＣコマンドを用いてＰＵＣＣＨの送信電力を制御できる（たとえば、Ｒｅｌ．８）。
【００２３】
ユーザ端末は、Ｍが複数ある場合、すなわちＭ＞１の場合、１つのＤＬサブフレーム（たとえば、時間方向に最も早いＤＬサブフレーム）で送信されるＴＰＣコマンドを用いてＰＵＣＣＨの送信電力を制御し、他のＴＰＣコマンドのビット値を他の用途（たとえば、ＰＵＣＣＨリソースの指定）などに利用することもできる（たとえば、Ｒｅｌ．１０以降）。
【００２４】
このように、既存のＬＴＥシステムでは、所定のサブフレームで送信される下り制御情報に含まれるＴＰＣコマンドに基づいて上り信号の送信電力を決定している。
【００２５】
短縮処理時間が設定される場合の、ＴＰＣコマンドの適用については、以下のように定義されている。
【００２６】
上り共有チャネル（たとえば、ＰＵＳＣＨ）に対しては、ＤＣＩに含まれるＴＰＣコマンドのみが考慮される。短縮上り共有チャネル（たとえば、ｓＰＵＳＣＨ）に対しては、短縮ＤＣＩ（ｓＤＣＩ：shortened  DCI）に含まれるＴＰＣコマンドのみが考慮される。
【００２７】
ユーザ端末が、サブフレームｎでＤＣＩフォーマット３／３Ａを検出し、サブフレーム（ｎ＋１）でタイミング（ｎ＋３）の専用ＵＬグラントを検出した場合、サブフレーム（ｎ＋４）におけるＰＵＳＣＨ送信については、ユーザ端末は、サブフレーム（ｎ＋１）で送信された専用ＵＬグラントによって提供されたＴＰＣコマンドを使用するものとする。
【００２８】
既存のＬＴＥシステムでは、ユーザ端末は、サブフレーム（ＳＦ＃ｉ）においてＰＵＳＣＨを送信する場合、所定値（たとえば、ＫＰＵＳＣＨ）だけ前のサブフレーム（ＳＦ＃ｉ−ＫＰＵＳＣＨ）に含まれるＴＰＣコマンドに基づいて、当該ＰＵＳＣＨの送信電力を制御する。ＦＤＤの場合、ユーザ端末は、ＫＰＵＳＣＨ＝４を適用する。ＴＤＤの場合、ユーザ端末は、ＵＬ／ＤＬ構成に応じてＵＬサブフレームごとに定義されたＫＰＵＳＣＨを適用する。
【００２９】
短縮ＰＵＳＣＨの電力制御において、ＦＤＤの場合、上りリンクの短縮ＴＴＩ長がスロットであるときには、ＫＰＵＳＣＨ＝４を適用する。上りリンクの短縮ＴＴＩ長がサブスロットであるときには、ＫＰＵＳＣＨ＝ＸＰを適用する。ここで、ＸＰは上位レイヤシグナリングによって構成される処理時間である。
【００３０】
短縮ＰＵＳＣＨの電力制御において、ＴＤＤの場合、ＫＰＵＳＣＨは、ＴＤＤ  ＵＬ／ＤＬ構成とスペシャルサブフレーム構成に依る、ＵＬグラントと短縮ＰＵＳＣＨとの間のタイミングによって与えられる。
【００３１】
短縮ＰＵＳＣＨの電力制御では、閉ループ電力制御用のＴＰＣ累積モードと、ＴＰＣ非累積モードの両方がサポートされる。
【００３２】
サービングセルに対する短縮ＴＴＩ動作でユーザ端末が構成（または再構成）される場合、サービングセルｃのスロットまたはサブスロットＰＵＳＣＨに対する初期値ｆｃ（０）は、サービングセルｃのサブフレームＰＵＳＣＨに対する現在値ｆｃ（＊）として決定される。すなわち、ｆｃ，ｓｌｏｔ−ｓｕｂｓｌｏｔ（０）＝ｆｃ＿ｓｕｂｆｒａｍｅ（＊）が成り立つ。
【００３３】
上り制御チャネル（たとえば、ＰＵＣＣＨ）に対しては、ＤＣＩに含まれるＴＰＣコマンドのみが考慮される。短縮上り制御チャネル（たとえば、ｓＰＵＣＣＨ）に対しては、短縮ＤＣＩに含まれるＴＰＣコマンドのみが考慮される。
【００３４】
短縮ＰＵＣＣＨの電力制御において、ＦＤＤの場合、Ｍ＝１である。Ｍは、ＴＰＣコマンドに対応するサブフレーム数に相当する。下りリンクの短縮ＴＴＩ長がスロットであるときには、ｋｍ＝４を適用する。下りリンクの短縮ＴＴＩ長がサブスロットであるときには、ｋｍ＝ＸＰを適用する。ここで、ＸＰは上位レイヤシグナリングによって構成される処理時間である。
【００３５】
短縮ＰＵＣＣＨの電力制御において、ＴＤＤの場合、Ｍおよびｋｍは、ＴＤＤ  ＵＬ／ＤＬ構成とスペシャルサブフレーム構成に依る、短縮ＰＤＳＣＨと対応する送達確認信号（ＨＡＲＱ−ＡＣＫ：Hybrid  Automatic  Repeat  Request-Acknowledgement）との間のタイミングによって与えられる。
【００３６】
プライマリセルに対する短縮ＴＴＩ動作でユーザ端末が構成（または再構成）される場合、プライマリセルにおける短縮ＰＵＣＣＨに対する初期値ｇ（０）は、プライマリセルのＰＵＣＣＨに対する現在の（または最新の）値ｇ（＊）として決定される。
【００３７】
将来の無線通信システム（たとえば、ＮＲ）では、ユーザ端末の送信電力は、開ループ送信電力制御および閉ループ送信電力制御を用いて制御される。ユーザ端末は、開ループ制御の誤差を、基地局から受信するＴＰＣコマンドを用いた閉ループ制御で補正する。
【００３８】
たとえば、上り共有チャネル（たとえば、ＰＵＳＣＨ）、上り制御チャネル（たとえば、ＰＵＣＣＨ）、サウンディング参照信号（ＳＲＳ）などの送信電力が、送信電力制御の対象となる。
【００３９】
将来の無線通信システム（たとえば、ＮＲ）では、サービングセルのキャリアごとに、最大２つの閉ループをサポートすることが検討されている。
【００４０】
将来の無線通信システム（たとえば、ＮＲ）では、サービングセルｃのキャリアｆの帯域幅部分（ＢＷＰ：Bandwidth  Part）ｂについての送信期間（transmission  period）ｉにおけるＰＵＳＣＨの送信電力は、下記式（２）で表されてもよい。ここで、送信期間は、たとえば、シンボル、スロット、サブフレーム、フレームなどであってもよい。
【００４１】
【数２】
2020008647.tif 000004
【００４２】
式（２）において、ｆｂ，ｆ，ｃ（ｉ，ｌ）はＴＰＣコマンドに基づく値（たとえば、ＴＰＣコマンドに基づく累積値）である。ｌは、電力制御調整状態（power  control  adjustment  state）のインデックスである。ユーザ端末は、たとえば上位レイヤシグナリングを用いて所定のチャネル（たとえば、ＰＵＳＣＨ、ＰＵＣＣＨなど）の電力制御調整状態を複数（たとえば、２つ）維持する（maintain）ことを設定されると、ｌとして複数の値の少なくとも１つを利用できる。ユーザ端末は、当該設定がない場合、ｌとして１つの値（たとえば、ｌ＝０）が利用されると想定してもよい。
【００４３】
たとえば、ユーザ端末は、ＰＵＳＣＨについてＲＲＣパラメータ「twoPUSCH-PC-AdjustmentStates」が設定される場合に、当該ＰＵＳＣＨの送信電力制御に２つの電力制御状態が適用されると判断してもよい。
【００４４】
他の上り信号（たとえば、ＰＵＣＣＨ，ＳＲＳなど）も、利用するパラメータに違いはあるものの、ＰＵＳＣＨと同様に、複数の電力制御調整状態を用いて送信電力を決定可能である。
【００４５】
将来の無線通信システム（たとえば、ＮＲ）では、ＴＰＣコマンドを適用するタイミングは、ＫＰＵＳＣＨ、ＫＰＵＣＣＨ、ＫＳＲＳと規定されている。ユーザ端末が、ＵＥ固有のＤＣＩと、ＤＣＩフォーマット２＿２／２＿３の両方を検出した場合に、どちらを優先するかについては仕様において言及されていない。また、ＴＰＣコマンドを適用するタイミングがユーザ端末の能力（UE  capability）に依存するかについても、仕様において言及されていない。
【００４６】
ここで、ＤＣＩフォーマット２＿２は、ＰＵＳＣＨのＴＰＣ用の識別子（ＴＰＣ−ＰＵＳＣＨ−ＲＮＴＩ（Radio  Network  Temporary  Identifier））によって巡回冗長検査（ＣＲＣ：Cyclic  Redundancy  Check）スクランブルされてもよい。ＤＣＩフォーマット２＿２は、ＰＵＣＣＨのＴＰＣ用の識別子（ＴＰＣ−ＰＵＣＣＨ−ＲＮＴＩ）によってＣＲＣスクランブルされてもよい。
【００４７】
ＴＰＣの累積が有効にされている場合、上位レイヤによって設定されたＵＬグラントを伴うＰＵＳＣＨ（configured  grant  PUSCH）、および、動的グラントに基づくＰＵＳＣＨ（dynamic  grant  based  PUSCH）は、パラメータｉおよびｌが同じである場合に限り、ＴＰＣコマンドを共有することができる。非周期的（aperiodic）ＳＲＳ、セミパーシステント（semi-persistent）ＳＲＳ、および、周期的（periodic）ＳＲＳ間においてＴＰＣコマンドは共有される。
【００４８】
将来の無線通信システム（たとえば、ＮＲ）では、ＳＣｅｌｌ（Secondary  Cell）でも、共通サーチスペースにおいて送信されるＤＣＩフォーマット２＿２／２＿３を送信してもよい。
【００４９】
将来の無線通信システム（たとえば、ＮＲ）では、ＳＣｅｌｌのタイプ３共通サーチスペースにおけるＤＣＩフォーマット２＿２／２＿３の監視（モニタ）をサポートしている。これに対して、既存のＬＴＥシステムでは、ＰＣｅｌｌ（Primary  Cell）またはＰＳＣｅｌｌ（Primary  Secondary  Cell）の共通サーチスペースにおいてのみ、ＤＣＩフォーマット３／３Ａの監視がサポートされている。
【００５０】
将来の無線通信システム（たとえば、ＮＲ）では、ユーザ端末は、１つのスロットまたは１つの監視機会（monitoring  occasion）において、複数のＤＣＩフォーマット２＿２／２＿３を特定のＤＬコンポーネントキャリア（ＣＣ：Component  Carrier）上で受信してもよい。
【００５１】
図１は、ＮＲにおいて複数の制御領域が配置される一例を示す図である。図１に示すように、同一の監視機会または重複する監視機会以外で、ＤＣＩフォーマット２＿２とＵＬグラントの両方を、同一の監視機会または重複する監視機会、あるいは同一のサーチスペースで受信した場合、ユーザ端末がこれらに含まれるＴＰＣコマンドをどのように扱うのか明らかではない。
【００５２】
このように、将来の無線通信システム（たとえば、ＮＲ）における、ＤＣＩフォーマット２＿２／２＿３および当該ＤＣＩフォーマット２＿２／２＿３に含まれるＴＰＣコマンドの適用に関する制限事項のいくつかは明らかではない。
【００５３】
将来の無線通信システム（たとえば、ＮＲ）におけるスケジューリングのタイミングには柔軟性がある。たとえば、少なくとも所定の端末能力（たとえば、UE  processing  capability、または、PUSCH  timing  capability）を有するユーザ端末は、最初にスケジューリングされた送信を、後にスケジューリングされた送信より後に送信することができる。このような場合、どのように電力制御を行うのか明らかではない。
【００５４】
図２は、ＮＲスケジューリングタイミングの一例を示す図である。ＰＵＳＣＨ＃０をスケジュールするＤＣＩ＃０にはＴＰＣコマンド０が含まれる。ＰＵＳＣＨ＃１をスケジュールするＤＣＩ＃１にはＴＰＣコマンド１が含まれる。ＰＵＳＣＨ＃２をスケジュールするＤＣＩ＃２にはＴＰＣコマンド２が含まれる。ＤＣＩ＃１は、ＤＣＩフォーマット０＿０／０＿１であってもよい。ＰＵＳＣＨ＃１をスケジュールするＤＣＩ＃１は、ＰＵＳＣＨ＃２をスケジュールするＤＣＩ＃２より先に送信されるが、ＰＵＳＣＨ＃１はＰＵＳＣＨ＃２より後に送信される。
【００５５】
図２に示すようにフレキシブルなＮＲスケジューリングにおいて、ＰＵＳＣＨ＃２の送信電力制御として、ＴＰＣコマンド０およびＤＣＩフォーマット０＿０／０＿１に含まれるＴＰＣコマンド１を累積（accumulate）するのか、累積しないのか、明らかではない。
【００５６】
以上説明したように、将来の無線通信システム（たとえば、ＮＲ）において、所定のＤＣＩフォーマット（たとえば、ＤＣＩフォーマット２＿２／２＿３）および当該所定のＤＣＩフォーマットに含まれるＴＰＣコマンドの適用に関する制限事項のいくつかは明らかではない。
【００５７】
そこで、本発明者らは、将来の無線通信システム（たとえば、ＮＲ）において、所定のＤＣＩフォーマット（たとえば、ＤＣＩフォーマット２＿２／２＿３）および当該所定のＤＣＩフォーマットに含まれるＴＰＣコマンドの適用に関する制限事項について、具体的に規定した。
【００５８】
以下、本実施の形態について添付図面を参照して詳細に説明する。
【００５９】
本実施の形態において、将来の無線通信システム（たとえば、ＮＲ）における所定のＤＣＩフォーマットとして、ＤＣＩフォーマット２＿２またはＤＣＩフォーマット２＿３（以下、ＤＣＩフォーマット２＿２／２＿３とも記す）を適用する場合を例に挙げるが、ＤＣＩフォーマットはこれに限られない。
【００６０】
（第１の態様）
第１の態様では、将来の無線通信システム（たとえば、ＮＲ）において、複数のコンポーネントキャリア（ＣＣ）で所定のＤＣＩフォーマット（たとえば、ＤＣＩフォーマット２＿２／２＿３）が送信される場合の、当該所定のＤＣＩフォーマットの適用について説明する。
【００６１】
図３から図６は、第１の態様に係る、ＤＣＩフォーマット２＿２／２＿３が送信されるコンポーネントキャリアと、送信電力制御の対象となる各チャネル（たとえば、ＰＵＳＣＨ、ＰＵＣＣＨ、ＳＲＳ）が送信されるコンポーネントキャリアとの関係を示す図である。
【００６２】
（態様１−１）
ユーザ端末は、所定のセルグループ（ＣＧ：Cell  Group）またはＰＵＣＣＨグループに対して、複数のサービングセル（コンポーネントキャリア）上でＤＣＩフォーマット２＿２／２＿３を監視するように構成されることを予期しない。すなわち、ユーザ端末は、既存のＬＴＥシステムと同様の制限により、複数のサービングセル上でＤＣＩフォーマットを監視してもよい。
【００６３】
基地局は、ユーザ端末に対し、所定のセルグループ（ＣＧ）またはＰＵＣＣＨグループで、最大１つのサービングセル（コンポーネントキャリア）上でＤＣＩフォーマット２＿２／２＿３を監視するように設定する。
【００６４】
ユーザ端末は、１つのサービングセル（コンポーネントキャリア）上で、複数のチャネル（ＰＵＳＣＨ、ＰＵＣＣＨ、ＳＲＳ）に対するＤＣＩフォーマット２＿２／２＿３を監視する。この場合、複数のチャネル（ＰＵＳＣＨ、ＰＵＣＣＨ、ＳＲＳ）に対して複数のＴＰＣコマンドを与えるために、１つのＤＣＩフォーマット２＿２／２＿３内の複数のビットフィールドを使用してもよい。
【００６５】
態様１−１において、ユーザ端末は、図３Ａに示すように、ＤＣＩフォーマット２＿２／２＿３を監視してもよい。
【００６６】
図３Ａに示すように、ユーザ端末は、１つのコンポーネントキャリア（ＣＣ＃１）上でのみＤＣＩフォーマット２＿２／２＿３を監視してもよい。すなわち、各コンポーネントキャリア（ＣＣ＃１、ＣＣ＃２、ＣＣ＃３）における各チャネル（ＰＵＳＣＨ、ＰＵＣＣＨ、ＳＲＳ）に対して、１つのＤＣＩフォーマット２＿２／２＿３のみが適用される。
【００６７】
図３Ａに示すように、ユーザ端末は、ＣＣ＃１の各チャネルに対して、ＣＣ＃１から送信されたＤＣＩフォーマット２＿２／２＿３を適用してもよい。ユーザ端末は、ＣＣ＃２の各チャネルに対して、ＣＣ＃１から送信されたＤＣＩフォーマット２＿２／２＿３を適用してもよい。ユーザ端末は、ＣＣ＃３の各チャネルに対して、ＣＣ＃１から送信されたＤＣＩフォーマット２＿２／２＿３を適用してもよい。
【００６８】
ユーザ端末は、各チャネルに対して、ＤＣＩフォーマット２＿２／２＿３に含まれるＴＰＣコマンドを適用して、送信電力制御を行う。
【００６９】
（態様１−２）
ユーザ端末は、セルグループ、またはＰＵＣＣＨグループに対して、１つまたは複数のサービングセル（コンポーネントキャリア）上でＤＣＩフォーマット２＿２／２＿３を監視するように構成されてもよい。しかし、ユーザ端末は、１つのサービングセル（コンポーネントキャリア）の各チャネル（ＰＵＳＣＨ、ＰＵＣＣＨ、ＳＲＳ）に対して、複数のサービングセル（コンポーネントキャリア）から送信されたＤＣＩフォーマット２＿２／２＿３を適用するように構成されることを予期しない。
【００７０】
基地局は、ユーザ端末に対し、所定のセルグループ（ＣＧ）またはＰＵＣＣＨグループで、１つまたは複数のサービングセル（コンポーネントキャリア）上でＤＣＩフォーマット２＿２／２＿３を監視するように設定することができるが、１つのサービングセル（コンポーネントキャリア）の各チャネル（ＰＵＳＣＨ、ＰＵＣＣＨ、ＳＲＳ）に対して、複数のサービングセル（コンポーネントキャリア）から送信されたＤＣＩフォーマット２＿２／２＿３を適用しないよう制御する。
【００７１】
すなわち、ユーザ端末は、各サービングセル（コンポーネントキャリア）の各チャネルに対して、１つのサービングセル（コンポーネントキャリア）から送信されたＤＣＩフォーマット２＿２／２＿３を適用する。ユーザ端末は、１つのサービングセルの各チャネルに対して、複数のサービングセル（コンポーネントキャリア）から送信されたＤＣＩフォーマット２＿２／２＿３を適用しない。
【００７２】
複数のサービングセルの複数のチャネル（ＰＵＳＣＨ、ＰＵＣＣＨ、ＳＲＳ）に対して複数のＴＰＣコマンドを与えるために、１つのＤＣＩフォーマット２＿２／２＿３内の複数のビットフィールドを使用してもよい。当該複数のＴＰＣコマンドを与えるために、異なるサービングセルにおいて監視される複数のＤＣＩフォーマット２＿２／２＿３を使用してもよい。
【００７３】
態様１−２において、ユーザ端末は、図３Ａまたは図３Ｂに示すように、ＤＣＩフォーマット２＿２／２＿３を監視してもよい。
【００７４】
図３Ｂに示すように、ユーザ端末は、複数のコンポーネントキャリア（ＣＣ＃１、ＣＣ＃２）上でＤＣＩフォーマット２＿２／２＿３を監視してもよい。ユーザ端末は、各コンポーネントキャリア（ＣＣ＃１、ＣＣ＃２、ＣＣ＃３）の各チャネル（ＰＵＳＣＨ、ＰＵＣＣＨ、ＳＲＳ）に対して、１つのコンポーネントキャリア（ＣＣ＃１またはＣＣ＃２）から送信されたＤＣＩフォーマット２＿２／２＿３を適用してもよい。
【００７５】
図３Ｂに示すように、ユーザ端末は、ＣＣ＃１の各チャネルに対して、ＣＣ＃１から送信されたＤＣＩフォーマット２＿２／２＿３を適用してもよい。ユーザ端末は、ＣＣ＃２の各チャネルに対して、ＣＣ＃２から送信されたＤＣＩフォーマット２＿２／２＿３を適用してもよい。ユーザ端末は、ＣＣ＃３の各チャネルに対して、ＣＣ＃２から送信されたＤＣＩフォーマット２＿２／２＿３を適用してもよい。
【００７６】
ユーザ端末は、各チャネルに対して、ＤＣＩフォーマット２＿２／２＿３に含まれるＴＰＣコマンドを適用して、送信電力制御を行う。
【００７７】
（態様１−３）
ユーザ端末は、セルグループ、またはＰＵＣＣＨグループに対して、１つまたは複数のサービングセル（コンポーネントキャリア）上でＤＣＩフォーマット２＿２／２＿３を監視するように構成されてもよい。ユーザ端末は、１つのサービングセル（コンポーネントキャリア）の各チャネル（ＰＵＳＣＨ、ＰＵＣＣＨ、ＳＲＳ）に対して、１つまたは複数のサービングセル（コンポーネントキャリア）から送信されたＤＣＩフォーマット２＿２／２＿３を適用してもよい。
【００７８】
基地局は、ユーザ端末に対し、所定のセルグループ（ＣＧ）またはＰＵＣＣＨグループで、１つまたは複数のサービングセル（コンポーネントキャリア）上でＤＣＩフォーマット２＿２／２＿３を監視するように設定することができる。
【００７９】
複数のサービングセルの複数のチャネル（ＰＵＳＣＨ、ＰＵＣＣＨ、ＳＲＳ）に対する複数のＴＰＣコマンドを与えるために、１つのＤＣＩフォーマット２＿２／２＿３内の複数のビットフィールドを使用してもよい。当該複数のＴＰＣコマンドを与えるために、異なるサービングセルにおいて監視される複数のＤＣＩフォーマット２＿２／２＿３を使用してもよい。
【００８０】
態様１−３において、ユーザ端末は、図３Ａ、図３Ｂまたは図４Ａに示すように、ＤＣＩフォーマット２＿２／２＿３を監視してもよい。
【００８１】
図４Ａに示すように、ユーザ端末は、１つまたは複数のコンポーネントキャリア（ＣＣ＃１、ＣＣ＃２、ＣＣ＃３）上でＤＣＩフォーマット２＿２／２＿３を監視してもよい。ユーザ端末は、各コンポーネントキャリア（ＣＣ＃１、ＣＣ＃２、ＣＣ＃３）の各チャネル（ＰＵＳＣＨ、ＰＵＣＣＨ、ＳＲＳ）に対して、１つまたは複数のコンポーネントキャリア（ＣＣ＃１、ＣＣ＃２、ＣＣ＃３）から送信されたＤＣＩフォーマット２＿２／２＿３を適用してもよい。
【００８２】
図４Ａに示すように、ユーザ端末は、ＣＣ＃１の各チャネルに対して、ＣＣ＃１から送信されたＤＣＩフォーマット２＿２／２＿３を適用してもよい。ユーザ端末は、ＣＣ＃２の各チャネルに対して、ＣＣ＃２およびＣＣ＃３から送信されたＤＣＩフォーマット２＿２／２＿３を適用してもよい。
【００８３】
ユーザ端末は、各チャネルに対して、ＤＣＩフォーマット２＿２／２＿３に含まれるＴＰＣコマンドを適用して、送信電力制御を行う。
【００８４】
（態様１−４）
ユーザ端末は、セルグループ、またはＰＵＣＣＨグループに対して、１つまたは複数のサービングセル（コンポーネントキャリア）上で、ＰＵＳＣＨのＴＰＣ用の識別子（ＴＰＣ−ＰＵＳＣＨ−ＲＮＴＩ）によって巡回冗長検査（ＣＲＣ）スクランブルされたＤＣＩフォーマット２＿２、または、ＤＣＩフォーマット２＿３を監視するように構成されてもよい。
【００８５】
基地局は、ユーザ端末に対し、所定のセルグループ（ＣＧ）またはＰＵＣＣＨグループで、１つまたは複数のサービングセル（コンポーネントキャリア）上で当該ＤＣＩフォーマット２＿２／２＿３を監視するように設定することができる。
【００８６】
ユーザ端末は、１つのサービングセル（コンポーネントキャリア）の各チャネル（ＰＵＳＣＨ、ＰＵＣＣＨ、ＳＲＳ）に対して、同じキャリア上のＤＣＩフォーマット２＿２／２＿３のみを監視する。
【００８７】
態様１−４において、ユーザ端末は、図４Ｂに示すように、ＤＣＩフォーマット２＿２／２＿３を監視してもよい。
【００８８】
図４Ｂに示すように、ユーザ端末は、１つまたは複数のコンポーネントキャリア（ＣＣ＃１、ＣＣ＃２、ＣＣ＃３）上でＤＣＩフォーマット２＿２／２＿３を監視する。ユーザ端末は、各コンポーネントキャリア（ＣＣ＃１、ＣＣ＃２、ＣＣ＃３）の各チャネル（ＰＵＳＣＨ、ＰＵＣＣＨ、ＳＲＳ）に対して、同じコンポーネントキャリア（ＣＣ＃１、ＣＣ＃２、ＣＣ＃３）から送信されたＤＣＩフォーマット２＿２／２＿３を適用する。
【００８９】
図４Ｂにおいて、ユーザ端末は、ＣＣ＃１の各チャネルに対して、同じキャリアであるＣＣ＃１から送信されたＤＣＩフォーマット２＿２／２＿３を適用する。ユーザ端末は、ＣＣ＃２の各チャネルに対して、同じキャリアであるＣＣ＃２から送信されたＤＣＩフォーマット２＿２／２＿３を適用する。ユーザ端末は、ＣＣ＃３の各チャネルに対して、同じキャリアであるＣＣ＃３から送信されたＤＣＩフォーマット２＿２／２＿３を適用する。
【００９０】
ユーザ端末は、各チャネルに対して、ＤＣＩフォーマット２＿２／２＿３に含まれるＴＰＣコマンドを適用して、送信電力制御を行う。
【００９１】
（態様１−５）
ユーザ端末は、セルグループ、またはＰＵＣＣＨグループに対して、１つまたは複数のサービングセル（コンポーネントキャリア）上で、ＰＵＣＣＨのＴＰＣ用の識別子（ＴＰＣ−ＰＵＣＣＨ−ＲＮＴＩ）によって巡回冗長検査（ＣＲＣ）スクランブルされたＤＣＩフォーマット２＿２を監視するように構成されてもよい。
【００９２】
ユーザ端末は、同一の監視機会または重複する監視機会において、異なるサービングセル（コンポーネントキャリア）上で送信されたＴＰＣコマンドに対して、異なる値を受信することを予期しない。すなわち、ユーザ端末は、１つのサービングセル（コンポーネントキャリア）のＰＵＣＣＨセルに対して、所定のタイミングで受信する複数のＴＰＣコマンドは共通の値であると予期する。
【００９３】
基地局は、ユーザ端末に対し、所定のセルグループ（ＣＧ）またはＰＵＣＣＨグループで、１つまたは複数のサービングセル（コンポーネントキャリア）上で、当該ＤＣＩフォーマット２＿２を監視するように設定することができる。基地局は、ＴＰＣコマンド適用先のセルのＴＰＣコマンドを適用する所定のＰＵＣＣＨに対して、複数の異なる値のＴＰＣコマンドを生成しない。
【００９４】
態様１−５において、ユーザ端末は、図５に示すように、ＤＣＩフォーマット２＿２を監視してもよい。
【００９５】
図５に示すように、ユーザ端末は、１つまたは複数のコンポーネントキャリア（ＣＣ＃１、ＣＣ＃２、ＣＣ＃３）上でＤＣＩフォーマット２＿２を監視する。ユーザ端末は、１つのコンポーネントキャリア（ＣＣ＃１）のＰＵＣＣＨに対して、共通の値のＴＰＣコマンドを１回のみ適用して、送信電力制御を行う。
【００９６】
（態様１−６）
ユーザ端末は、ＰＣｅｌｌまたはＰＳＣｅｌｌ上でのＰＵＣＣＨ送信に対して、ＰＣｅｌｌまたはＰＳＣｅｌｌ上のＰＵＣＣＨのＴＰＣ用の識別子（ＴＰＣ−ＰＵＣＣＨ−ＲＮＴＩ）によって巡回冗長検査（ＣＲＣ）スクランブルされたＤＣＩフォーマット２＿２のみを監視するように構成されてもよい。
【００９７】
基地局は、ユーザ端末に対し、ＰＣｅｌｌまたはＰＳＣｅｌｌ上の当該ＤＣＩフォーマット２＿２のみを監視するように設定することができる。
【００９８】
ＳＣｅｌｌ上でのＰＵＣＣＨ送信に対して、ユーザ端末は、ＰＵＣＣＨを搬送するＳＣｅｌｌ上でＤＣＩフォーマット２＿２を監視しないよう構成されてもよい。この場合、ユーザ端末は、ＰＣｅｌｌの共通サーチスペースにおいて通知されるＤＣＩフォーマット２＿２を監視するよう構成されてもよい。
【００９９】
ＳＣｅｌｌ上でのＰＵＣＣＨ送信に対して、ユーザ端末は、ＰＵＣＣＨを搬送するＳＣｅｌｌ上でＤＣＩフォーマット２＿２を監視するよう構成されてもよい。
【０１００】
ＰＣｅｌｌ上でのＰＵＣＣＨ送信およびＳＣｅｌｌ上でのＰＵＣＣＨ送信に対して、共通のＴＰＣ−ＰＵＣＣＨ−ＲＮＴＩによってＣＲＣスクランブルされたＤＣＩフォーマット２＿２において異なるＴＰＣインデックス（tpc-index）を通知してもよい。たとえば、上位レイヤは、ＰＣｅｌｌに対してＴＰＣインデックス１を設定し、ＰＵＣＣＨを送信するＳＣｅｌｌに対してＴＰＣインデックス２を設定してもよい。
【０１０１】
態様１−６において、ユーザ端末は、図６に示すように、ＤＣＩフォーマット２＿２を監視してもよい。
【０１０２】
図６Ａに示すように、ユーザ端末は、ＰＵＣＣＨを搬送するＳＣｅｌｌ（ＣＣ＃２）に対して、ＳＣｅｌｌ（ＣＣ＃２）ではなく、ＰＣｅｌｌ（ＣＣ＃１）上で送信されるＤＣＩフォーマット２＿２を監視してもよい。ユーザ端末は、ＰＵＣＣＨを搬送するＰＣｅｌｌ（ＣＣ＃１）に対して、ＰＣｅｌｌ（ＣＣ＃１）上で送信されるＤＣＩフォーマット２＿２を監視してもよい。
【０１０３】
図６Ｂに示すように、ユーザ端末は、ＰＵＣＣＨを搬送するＳＣｅｌｌ（ＣＣ＃２）に対して、ＳＣｅｌｌ（ＣＣ＃２）上で送信されるＤＣＩフォーマット２＿２を監視してもよい。ユーザ端末は、ＰＵＣＣＨを搬送するＰＣｅｌｌ（ＣＣ＃１）に対して、ＰＣｅｌｌ（ＣＣ＃１）上で送信されるＤＣＩフォーマット２＿２を監視してもよい。
【０１０４】
（変形例）
将来の無線通信システムでは、上りリンク（ＵＬ）送信に特化した（ＵＬ送信のみ行う）キャリアを含む複数のキャリアを利用して通信を行うことが検討されている。ＵＬ送信のみ行う形態をＳＵＬ（Supplemental  Uplink）とも呼ぶ。
【０１０５】
所定のセルに対して、通常のＵＬおよびＳＵＬで構成されたユーザ端末の場合、当該ＵＬおよびＳＵＬにおける複数のチャネル（ＰＵＳＣＨ、ＰＵＣＣＨ、ＳＲＳ）送信のためのＤＣＩフォーマット２＿２／２＿３に含まれるＴＰＣコマンドは、異なるＴＰＣインデックスを使用して分離してもよい。この場合、ユーザ端末が、検出されたＤＣＩからＵＬ／ＳＵＬインジケータフィールド値を使用して、どのキャリアにＴＰＣコマンドが適用されるのか決定してもよい。
【０１０６】
あるいは、当該ＴＰＣコマンドは、異なるＲＮＴＩを使用して分離されていてもよい。当該ＴＰＣコマンドは、共通であってもよい。ＤＣＩフォーマット２＿２／２＿３に含まれるＴＰＣコマンドは、通常の上りリンク（ＵＬ）にのみ適用されるとしてもよい。
【０１０７】
第１の態様により、将来の無線通信システム（たとえば、ＮＲ）における、複数のコンポーネントキャリア（ＣＣ）で所定のＤＣＩフォーマット（たとえば、ＤＣＩフォーマット２＿２／２＿３）が送信される場合の、当該所定のＤＣＩフォーマットの適用について明らかになった。これにより、ユーザ端末は、複数のコンポーネントキャリア（ＣＣ）で所定のＤＣＩフォーマット（たとえば、ＤＣＩフォーマット２＿２／２＿３）が送信される場合であっても、適切に当該所定のＤＣＩフォーマットに含まれるＴＰＣコマンドを適用して、送信電力制御を行うことができる。
【０１０８】
（第２の態様）
第２の態様では、将来の無線通信システム（たとえば、ＮＲ）において、複数の所定のＤＣＩフォーマット（たとえば、ＤＣＩフォーマット２＿２／２＿３）が送信される場合の、ユーザ端末における受信動作について説明する。
【０１０９】
将来の無線通信システム（たとえば、ＮＲ）では、サービングセルｃのキャリアｆのＵＬ帯域幅部分（ＢＷＰ）ｂについての送信期間（送信機会）ｉにおけるＰＵＳＣＨの電力制御調整状態は、下記式（３）で表されてもよい。
【０１１０】
【数３】
2020008647.tif 000005
【０１１１】
式（３）において、左辺は、ＴＰＣコマンドに対応する補正値である。ｉｌａｓｔは、ＰＵＳＣＨ送信機会ｉの直前のＰＵＳＣＨ送信機会である。サービングセルｃのキャリアｆのＵＬ帯域幅部分（ＢＷＰ）ｂにおけるＰＵＳＣＨ送信機会ｉおよびｉｌａｓｔが、ユーザ端末によるＤＣＩフォーマット０＿０またはＤＣＩフォーマット０＿１の検出に応答している場合、Ｍは、ユーザ端末が対応するＰＤＣＣＨで受信したＴＰＣ−ＰＵＳＣＨ−ＲＮＴＩでＣＲＣスクランブルされたＤＣＩフォーマット２＿２の数である。
【０１１２】
図７は、将来の無線通信システム（たとえば、ＮＲ）における、送信機会ｉにおけるＰＵＳＣＨの電力制御調整状態の一例を示す図である。図７に示すように、ユーザ端末は、ＰＵＳＣＨ送信機会ｉ（ＰＵＳＣＨ（ｉ））と、その直前のＰＵＳＣＨ送信機会ｉｌａｓｔ（ＰＵＳＣＨ（ｉｌａｓｔ））とを有する。ユーザ端末は、ＰＵＳＣＨ送信機会ｉｌａｓｔのための対応するＰＤＣＣＨの最後のシンボルの後であって、ＰＵＳＣＨ送信機会ｉのための対応するＰＤＣＣＨの最後のシンボルの前に、Ｍ個のＤＣＩフォーマット２＿２を受信する。ユーザ端末は、受信したＭ個のＤＣＩフォーマット２＿２に含まれるＴＰＣコマンドを累積して、送信機会ｉにおけるＰＵＳＣＨの送信電力制御をする。
【０１１３】
図８は、第２の態様に係る、ＤＣＩフォーマット２＿２／２＿３の受信タイミングの一例を示す図である。
【０１１４】
（態様２−１）
サービングセル、セルグループ、または、ＰＵＣＣＨグループにおいて、ユーザ端末は、所定のスロットにおいて複数のＤＣＩフォーマット２＿２／２＿３を受信することを予期しない構成であってもよい。この場合、ユーザ端末は、サービングセル、セルグループ、または、ＰＵＣＣＨグループにおいて、一度ＤＣＩフォーマット２＿２／２＿３を検出すると、同じスロットで再度ＤＣＩフォーマット２＿２／２＿３を検出しないものと想定して制御できるため、送信電力制御を簡便化できる。
【０１１５】
基地局は、ユーザ端末に対し、サービングセル、セルグループ、または、ＰＵＣＣＨグループにおいて、スロットあたり１度のみＤＣＩフォーマット２＿２／２＿３を送信するよう制御する。
【０１１６】
ユーザ端末は、図８Ａに示すように、所定のスロットにおいて、１つのＤＣＩフォーマット２＿２／２＿３を受信してもよい。
【０１１７】
（態様２−２）
サービングセル、セルグループ、または、ＰＵＣＣＨグループにおいて、ユーザ端末は、所定のＰＤＣＣＨ監視機会または重複したＰＤＣＣＨ監視機会において、複数のＤＣＩフォーマット２＿２／２＿３を受信することを予期しない構成であってもよい。この場合ユーザ端末は、サービングセル、セルグループ、または、ＰＵＣＣＨグループにおいて、所定のＰＤＣＣＨ監視機会または重複したＰＤＣＣＨ監視機会において、一度ＤＣＩフォーマット２＿２／２＿３を検出すると、同じスロットで再度ＤＣＩフォーマット２＿２／２＿３を検出しないものと想定して制御できるため、送信電力制御を簡便化できる。
【０１１８】
基地局は、ユーザ端末に対し、サービングセル、セルグループ、または、ＰＵＣＣＨグループにおいて、所定のＰＤＣＣＨ監視機会または重複したＰＤＣＣＨ監視機会において、スロットあたり１度のみＤＣＩフォーマット２＿２／２＿３を送信するよう制御する。
【０１１９】
ユーザ端末は、図８Ｂに示すように、所定のＰＤＣＣＨ監視機会または重複したＰＵＣＣＨ監視機会において、１つのＤＣＩフォーマット２＿２／２＿３を受信してもよい。ユーザ端末は、図８Ａに示すように、所定のＰＤＣＣＨ監視機会または重複したＰＵＣＣＨ監視機会において、１つのＤＣＩフォーマット２＿２／２＿３を受信してもよい。
【０１２０】
（態様２−３）
サービングセル、セルグループ、または、ＰＵＣＣＨグループにおいて、ユーザ端末は、所定のスロットにおいて複数のＤＣＩフォーマット２＿２／２＿３を受信できる構成であってもよい。この場合、複数のＴＰＣコマンドを一度に送受信しやすくなるため、送信電力制御を効率化できる。
【０１２１】
基地局は、ユーザ端末に対し、サービングセル、セルグループ、または、ＰＵＣＣＨグループにおいて、所定のスロットにおいて複数のＤＣＩフォーマット２＿２／２＿３を送信するよう制御する。
【０１２２】
ユーザ端末は、図８Ｃに示すように、所定のスロットにおいて、複数のＤＣＩフォーマット２＿２／２＿３を受信してもよい。ユーザ端末は、図８Ｂに示すように、所定のスロットにおいて、複数のＤＣＩフォーマット２＿２／２＿３を受信してもよい。
【０１２３】
ユーザ端末は、図８Ａに示すように、所定のスロットにおいて、１つのＤＣＩフォーマット２＿２／２＿３が送信される場合には、１つのＤＣＩフォーマット２＿２／２＿３を受信してもよい。
【０１２４】
第２の態様により、将来の無線通信システム（たとえば、ＮＲ）において、複数の所定のＤＣＩフォーマット（たとえば、ＤＣＩフォーマット２＿２／２＿３）が送信される場合の、ユーザ端末における受信動作について明らかになった。これにより、ユーザ端末は、複数の所定のＤＣＩフォーマット（たとえば、ＤＣＩフォーマット２＿２／２＿３）が送信される場合であっても、適切に受信動作を行うことができる。
【０１２５】
（第３の態様）
第３の態様では、将来の無線通信システム（たとえば、ＮＲ）における、ＴＰＣコマンドの累積タイミングとユーザ端末能力との関係について説明する。
【０１２６】
（態様３−１）
ＤＣＩフォーマット２＿２／２＿３に含まれるＴＰＣコマンドの累積タイミングは、ユーザ端末の処理時間能力に依存しない構成としてもよい。
【０１２７】
基地局は、ユーザ端末に対し、ＤＣＩフォーマット２＿２／２＿３に含まれるＴＰＣコマンドの累積タイミングを、当該ユーザ端末の処理時間能力に依存しないように設定できる。
【０１２８】
この場合、ユーザ端末は、ユーザ端末処理時間能力（＃１または＃２）に関係なく、ＤＣＩフォーマット２＿２／２＿３を受信した最後のシンボルからＸシンボル後に、ＤＣＩフォーマット２＿２／２＿３に含まれるＴＰＣコマンドを適用するよう要求されてもよい。
【０１２９】
（態様３−２）
ＤＣＩフォーマット２＿２／２＿３に含まれるＴＰＣコマンドの累積タイミングは、ユーザ端末の処理時間能力に依存する構成としてもよい。
【０１３０】
基地局は、ユーザ端末に対し、ＤＣＩフォーマット２＿２／２＿３に含まれるＴＰＣコマンドの累積タイミングを、当該ユーザ端末の処理時間能力に依存するように設定できる。
【０１３１】
ユーザ端末処理時間能力＃１で構成される場合、ユーザ端末は、ＤＣＩフォーマット２＿２／２＿３を受信した最後のシンボルからＸシンボル後に、ＤＣＩフォーマット２＿２／２＿３に含まれるＴＰＣコマンドを適用するよう要求されてもよい。
【０１３２】
ユーザ端末処理時間能力＃２で構成される場合、ユーザ端末は、ＤＣＩフォーマット２＿２／２＿３を受信した最後のシンボルからＹ（Ｘ＞Ｙ）シンボル後に、ＤＣＩフォーマット２＿２／２＿３に含まれるＴＰＣコマンドを適用するよう要求されてもよい。
【０１３３】
第３の態様により、将来の無線通信システム（たとえば、ＮＲ）における、ＴＰＣコマンドの累積タイミングとユーザ端末能力との関係について明らかになった。これにより、ユーザ端末は、ＴＰＣコマンドの累積タイミングを適切に制御できる。
【０１３４】
（第４の態様）
第４の態様では、将来の無線通信システム（たとえば、ＮＲ）において、ユーザ端末が複数のＴＰＣコマンドを累積する条件について説明する。
【０１３５】
（態様４−１）
所定のサービングセル上の各チャネル（ＰＵＳＣＨ、ＰＵＣＣＨ、ＳＲＳ）について、ＤＣＩフォーマット２＿２／２＿３によるＴＰＣコマンドが設定されたユーザ端末は、複数のＴＰＣコマンドを累積することを要求されない構成としてもよい。
【０１３６】
（態様４−２）
所定のサービングセル上の各チャネル（ＰＵＳＣＨ、ＰＵＣＣＨ、ＳＲＳ）について、ＤＣＩフォーマット２＿２／２＿３によるＴＰＣコマンドが設定されたユーザ端末は、ある条件下で、複数のＴＰＣコマンドを累積することを要求される構成としてもよい。ある条件とは、たとえば、ＴＰＣコマンドが含まれるＤＣＩフォーマット２＿２およびＤＣＩフォーマット０＿０／１＿０の少なくとも一方が、異なるＰＤＣＣＨ監視機会で検出される場合であってもよい。ある条件とは、たとえば、ＴＰＣコマンドが含まれるＤＣＩフォーマット２＿２およびＤＣＩフォーマット０＿０／１＿０の少なくとも一方が、異なるサーチスペースで検出される場合であってもよい。ある条件とは、たとえば、ＴＰＣコマンドが含まれるＤＣＩフォーマット２＿２およびＤＣＩフォーマット０＿０／１＿０の少なくとも一方が、異なるセルで検出される場合であってもよい。
【０１３７】
図９は、態様４−２が適用される一例を示す図である。図９に示すように、ユーザ端末は、異なるＰＤＣＣＨ監視機会において、ＤＣＩフォーマット２＿２およびＤＣＩフォーマット１＿０を検出する。この場合、ユーザ端末は、所定のサービングセル上のＰＵＳＣＨに対して、当該ＤＣＩフォーマット２＿２およびＤＣＩフォーマット１＿０に含まれるＴＰＣコマンドを累積して送信電力を制御してもよい。
【０１３８】
第４の態様により、将来の無線通信システム（たとえば、ＮＲ）において、ユーザ端末が複数のＴＰＣコマンドを累積する条件について明らかになった。これにより、ユーザ端末は、条件に応じて、複数のＴＰＣコマンドの累積を適切に制御できる。
【０１３９】
（第５の態様）
第５の態様では、将来の無線通信システム（たとえば、ＮＲ）における柔軟なスケジューリングタイミングと、ＴＰＣコマンドの適用について、再び図２を参照して説明する。
【０１４０】
（態様５−１）
ユーザ端末は、最初にスケジュールされた送信（図２におけるＰＵＳＣＨ＃１）より後にスケジュールされた送信（図２におけるＰＵＳＣＨ＃２）に対して、当該送信をスケジュールするＤＣＩ（図２におけるＤＣＩ＃２）より前に送信されたＤＣＩ（図２におけるＤＣＩ＃１）に含まれるＴＰＣコマンドを累積して適用するよう構成してもよい。
【０１４１】
図２に示す例において、ユーザ端末は、ＴＰＣコマンド２を含むＤＣＩ＃２によってスケジューリングされたＰＵＳＣＨ＃２の送信に対して、ＴＰＣコマンド１を累積してもよい。この場合、ＰＵＳＣＨ＃１およびＰＵＳＣＨ＃２の送信に対して、ＴＰＣコマンド０、ＴＰＣコマンド１およびＴＰＣコマンド２を累積した値が適用される。
【０１４２】
（態様５−２）
ユーザ端末は、最初にスケジュールされた送信（図２におけるＰＵＳＣＨ＃１）より後にスケジュールされた送信（図２におけるＰＵＳＣＨ＃２）に対して、当該送信より後の送信をスケジュールするＤＣＩ（図２におけるＤＣＩ＃１）に含まれるＴＰＣコマンドを累積して適用しないよう構成してもよい。
【０１４３】
図２に示す例において、ユーザ端末は、ＴＰＣコマンド２を含むＤＣＩ＃２によってスケジューリングされたＰＵＳＣＨ＃２の送信に対して、ＴＰＣコマンド１を累積しなくてもよい。ユーザ端末は、ＰＵＳＣＨ＃２の送信に対して、ＴＰＣコマンド０およびＴＰＣコマンド２を累積した値を適用してもよい。この場合、ＴＰＣコマンド１の値は、ＰＵＳＣＨ＃２よりも後のＰＵＳＣＨ送信時に適用してもよい。あるいは、ＴＰＣコマンド１の値は、ＴＰＣコマンド累積制御に含めない（ＴＰＣコマンド１は破棄する）よう制御してもよい。
【０１４４】
図２に示す例において、ユーザ端末は、ＴＰＣコマンド１を含むＤＣＩ＃１によってスケジューリングされたＰＵＳＣＨ＃１の送信に対して、ＴＰＣコマンド２を累積してもよいし、累積しなくてもよい。ユーザ端末は、ＰＵＳＣＨ＃１の送信に対して、ＴＰＣコマンド０、ＴＰＣコマンド１およびＴＰＣコマンド２を累積した値、または、ＴＰＣコマンド０およびＴＰＣコマンド１を累積した値を適用してもよい。
【０１４５】
第５の態様では、将来の無線通信システム（たとえば、ＮＲ）における柔軟なスケジューリングタイミングと、ＴＰＣコマンドの適用について明らかになった。これにより、ユーザ端末は、フレキシブルなＮＲスケジューリングにおいて、適切にＴＰＣコマンドを適用することができる。
【０１４６】
（無線通信システム）
以下、本実施の形態に係る無線通信システムの構成について説明する。この無線通信システムでは、上記実施の形態に係る無線通信方法が適用される。
【０１４７】
図１０は、本実施の形態に係る無線通信システムの概略構成の一例を示す図である。無線通信システム１では、ＬＴＥシステムのシステム帯域幅（たとえば、２０ＭＨｚ）を１単位とする複数の基本周波数ブロック（コンポーネントキャリア）を一体としたキャリアアグリゲーション（ＣＡ）またはデュアルコネクティビティ（ＤＣ）を適用することができる。無線通信システム１は、ＳＵＰＥＲ  ３Ｇ、ＬＴＥ−Ａ（ＬＴＥ−Ａｄｖａｎｃｅｄ）、ＩＭＴ−Ａｄｖａｎｃｅｄ、４Ｇ、５Ｇ、ＦＲＡ（Future  Radio  Access）、ＮＲ（New  Rat）などと呼ばれてもよい。
【０１４８】
無線通信システム１は、マクロセルＣ１を形成する基地局１１と、マクロセルＣ１内に配置され、マクロセルＣ１よりも狭いスモールセルＣ２を形成する基地局１２ａから１２ｃと、を備えている。マクロセルＣ１および各スモールセルＣ２には、ユーザ端末２０が配置されている。セル間で異なるニューメロロジーが適用される構成としてもよい。ニューメロロジーとは、あるＲＡＴにおける信号のデザインや、ＲＡＴのデザインを特徴付ける通信パラメータのセットのことをいう。
【０１４９】
ユーザ端末２０は、基地局１１および基地局１２の双方に接続することができる。ユーザ端末２０は、異なる周波数を用いるマクロセルＣ１とスモールセルＣ２を、キャリアアグリゲーション（ＣＡ）またはデュアルコネクティビティ（ＤＣ）により同時に使用することが想定される。ユーザ端末２０は、複数のセル（ＣＣ）（たとえば、２個以上のＣＣ）を用いてキャリアアグリゲーション（ＣＡ）またはデュアルコネクティビティ（ＤＣ）を適用することができる。ユーザ端末は、複数のセルとしてライセンスドバンドＣＣとアンライセンスドバンドＣＣを利用することができる。複数のセルのいずれかに短縮ＴＴＩを適用するＴＤＤキャリアが含まれる構成とすることができる。
【０１５０】
ユーザ端末２０と基地局１１との間は、相対的に低い周波数帯域（たとえば、２ＧＨｚ）で帯域幅が狭いキャリア（既存キャリア、Legacy  carrierなどと呼ばれる）を用いて通信を行うことができる。ユーザ端末２０と基地局１２との間は、相対的に高い周波数帯域（たとえば、３．５ＧＨｚ、５ＧＨｚ、３０から７０ＧＨｚなど）で帯域幅が広いキャリアが用いられてもよいし、基地局１１との間と同じキャリアが用いられてもよい。各基地局が利用する周波数帯域の構成はこれに限られない。
【０１５１】
基地局１１と基地局１２との間（または、２つの基地局１２の間）は、有線接続（たとえば、ＣＰＲＩ（Common  Public  Radio  Interface）に準拠した光ファイバ、Ｘ２インターフェースなど）または無線接続する構成とすることができる。
【０１５２】
基地局１１および各基地局１２は、それぞれ上位局装置３０に接続され、上位局装置３０を介してコアネットワーク４０に接続される。上位局装置３０には、たとえば、アクセスゲートウェイ装置、無線ネットワークコントローラ（ＲＮＣ）、モビリティマネジメントエンティティ（ＭＭＥ）などが含まれるが、これに限定されるものではない。各基地局１２は、基地局１１を介して上位局装置３０に接続されてもよい。
【０１５３】
基地局１１は、相対的に広いカバレッジを有する基地局であり、マクロ基地局、集約ノード、ｅＮＢ（eNodeB）、送受信ポイント、などと呼ばれてもよい。基地局１２は、局所的なカバレッジを有する基地局であり、スモール基地局、マイクロ基地局、ピコ基地局、フェムト基地局、ＨｅＮＢ（Home  eNodeB）、ＲＲＨ（Remote  Radio  Head）、送受信ポイントなどと呼ばれてもよい。以下、基地局１１および１２を区別しない場合は、基地局１０と総称する。
【０１５４】
各ユーザ端末２０は、ＬＴＥ、ＬＴＥ−Ａ等の各種通信方式に対応した端末であり、移動通信端末だけでなく固定通信端末を含んでもよい。
【０１５５】
無線通信システム１においては、無線アクセス方式として、下りリンク（ＤＬ）にＯＦＤＭＡ（直交周波数分割多元接続）が適用でき、上りリンク（ＵＬ）にＳＣ−ＦＤＭＡ（シングルキャリア−周波数分割多元接続）が適用できる。ＯＦＤＭＡは、周波数帯域を複数の狭い周波数帯域（サブキャリア）に分割し、各サブキャリアにデータをマッピングして通信を行うマルチキャリア伝送方式である。ＳＣ−ＦＤＭＡは、システム帯域幅を端末ごとに１つまたは連続したリソースブロックからなる帯域に分割し、複数の端末が互いに異なる帯域を用いることで、端末間の干渉を低減するシングルキャリア伝送方式である。上りおよび下りの無線アクセス方式は、これらの組み合わせに限られず、ＵＬでＯＦＤＭＡが用いられてもよい。
【０１５６】
無線通信システム１では、ＤＬチャネルとして、各ユーザ端末２０で共有される下りデータチャネル（ＰＤＳＣＨ：Physical  Downlink  Shared  Channel、下り共有チャネル等ともいう）、ブロードキャストチャネル（ＰＢＣＨ：Physical  Broadcast  Channel）、Ｌ１／Ｌ２制御チャネルなどが用いられる。ＰＤＳＣＨにより、ユーザデータや上位レイヤ制御情報、ＳＩＢ（System  Information  Block）などが伝送される。ＰＢＣＨにより、ＭＩＢ（Master  Information  Block）が伝送される。
【０１５７】
Ｌ１／Ｌ２制御チャネルは、下り制御チャネル（ＰＤＣＣＨ（Physical  Downlink  Control  Channel）、ＥＰＤＣＣＨ（Enhanced  Physical  Downlink  Control  Channel））、ＰＣＦＩＣＨ（Physical  Control  Format  Indicator  Channel）、ＰＨＩＣＨ（Physical  Hybrid-ARQ  Indicator  Channel）などを含む。ＰＤＣＣＨにより、ＰＤＳＣＨおよびＰＵＳＣＨのスケジューリング情報を含む下り制御情報（ＤＣＩ：Downlink  Control  Information）などが伝送される。ＰＣＦＩＣＨにより、ＰＤＣＣＨに用いるＯＦＤＭシンボル数が伝送される。ＰＨＩＣＨにより、ＰＵＳＣＨに対するＨＡＲＱの送達確認情報（ＡＣＫ／ＮＡＣＫ）が伝送される。ＥＰＤＣＣＨは、ＰＤＳＣＨ（下り共有データチャネル）と周波数分割多重され、ＰＤＣＣＨと同様にＤＣＩ等の伝送に用いられる。
【０１５８】
無線通信システム１では、ＵＬチャネルとして、各ユーザ端末２０で共有される上りデータチャネル（ＰＵＳＣＨ：Physical  Uplink  Shared  Channel、上り共有チャネル等ともいう）、上り制御チャネル（ＰＵＣＣＨ：Physical  Uplink  Control  Channel）、ランダムアクセスチャネル（ＰＲＡＣＨ：Physical  Random  Access  Channel）などが用いられる。ＰＵＳＣＨにより、ユーザデータ、上位レイヤ制御情報が伝送される。送達確認情報（ＡＣＫ／ＮＡＣＫ）や無線品質情報（ＣＱＩ）などの少なくとも１つを含む上り制御情報（ＵＣＩ：Uplink  Control  Information）は、ＰＵＳＣＨまたはＰＵＣＣＨにより、伝送される。ＰＲＡＣＨにより、セルとの接続確立のためのランダムアクセスプリアンブルが伝送される。
【０１５９】
＜基地局＞
図１１は、本実施の形態に係る基地局の全体構成の一例を示す図である。基地局１０は、複数の送受信アンテナ１０１と、アンプ部１０２と、送受信部１０３と、ベースバンド信号処理部１０４と、呼処理部１０５と、伝送路インターフェース１０６と、を備えている。送受信アンテナ１０１、アンプ部１０２、送受信部１０３は、それぞれ１つ以上を含むように構成されればよい。基地局１０は、下りデータの送信装置であり、上りデータの受信装置であってもよい。
【０１６０】
基地局１０からユーザ端末２０に送信される下りデータは、上位局装置３０から伝送路インターフェース１０６を介してベースバンド信号処理部１０４に入力される。
【０１６１】
ベースバンド信号処理部１０４では、下りデータに関して、ＰＤＣＰ（Packet  Data  Convergence  Protocol）レイヤの処理、ユーザデータの分割・結合、ＲＬＣ（Radio  Link  Control）再送制御などのＲＬＣレイヤの送信処理、ＭＡＣ（Medium  Access  Control）再送制御（たとえば、ＨＡＲＱの送信処理）、スケジューリング、伝送フォーマット選択、チャネル符号化、逆高速フーリエ変換（ＩＦＦＴ：Inverse  Fast  Fourier  Transform）処理、プリコーディング処理などの送信処理が行われて送受信部１０３に転送される。下り制御信号に関しても、チャネル符号化や逆高速フーリエ変換などの送信処理が行われて、送受信部１０３に転送される。
【０１６２】
送受信部１０３は、ベースバンド信号処理部１０４からアンテナごとにプリコーディングして出力されたベースバンド信号を無線周波数帯に変換して送信する。送受信部１０３で周波数変換された無線周波数信号は、アンプ部１０２により増幅され、送受信アンテナ１０１から送信される。送受信部１０３は、本発明に係る技術分野での共通認識に基づいて説明されるトランスミッター／レシーバー、送受信回路または送受信装置から構成することができる。送受信部１０３は、一体の送受信部として構成されてもよいし、送信部および受信部から構成されてもよい。
【０１６３】
上り信号については、送受信アンテナ１０１で受信された無線周波数信号がアンプ部１０２で増幅される。送受信部１０３は、アンプ部１０２で増幅された上り信号を受信する。送受信部１０３は、受信信号をベースバンド信号に周波数変換して、ベースバンド信号処理部１０４に出力する。
【０１６４】
ベースバンド信号処理部１０４では、入力された上り信号に含まれるユーザデータに対して、高速フーリエ変換（ＦＦＴ：Fast  Fourier  Transform）処理、逆離散フーリエ変換（ＩＤＦＴ：Inverse  Discrete  Fourier  Transform）処理、誤り訂正復号、ＭＡＣ再送制御の受信処理、ＲＬＣレイヤおよびＰＤＣＰレイヤの受信処理がなされ、伝送路インターフェース１０６を介して上位局装置３０に転送される。呼処理部１０５は、通信チャネルの設定や解放などの呼処理、基地局１０の状態管理、および、無線リソースの管理を行う。
【０１６５】
伝送路インターフェース１０６は、所定のインターフェースを介して、上位局装置３０と信号を送受信する。伝送路インターフェース１０６は、基地局間インターフェース（たとえば、ＣＰＲＩ（Common  Public  Radio  Interface）に準拠した光ファイバ、Ｘ２インターフェース）を介して他の基地局１０と信号を送受信（バックホールシグナリング）してもよい。
【０１６６】
送受信部１０３は、下り信号（たとえば、下り制御信号（下り制御チャネル）、下りデータ信号（下りデータチャネル、下り共有チャネル）、下り参照信号（ＤＭ−ＲＳ、ＣＳＩ−ＲＳ等）、ディスカバリ信号、同期信号、ブロードキャスト信号など）を送信する。送受信部１０３は、上り信号（たとえば、上り制御信号（上り制御チャネル）、上りデータ信号（上りデータチャネル、上り共有チャネル）、上り参照信号など）を受信する。
【０１６７】
送受信部１０３は、上りリンク送信に適用する送信電力制御（ＴＰＣ）コマンドを含む下り制御情報（ＤＣＩ）を送信してもよい。送受信部１０３は、第１の上りリンク送信をスケジュールする第１のＤＣＩより前に、第１の上りリンク送信より後に前に送信機会を有する第２の上りリンク送信をスケジュールする第２のＤＣＩを送信してもよい。
【０１６８】
本発明の送信部および受信部は、送受信部１０３と伝送路インターフェース１０６の両方、またはいずれか一方により構成される。
【０１６９】
図１２は、本実施の形態に係る基地局の機能構成の一例を示す図である。この図では、本実施形態における特徴部分の機能ブロックを主に示しており、基地局１０は、無線通信に必要な他の機能ブロックも有しているものとする。ベースバンド信号処理部１０４は、制御部３０１と、送信信号生成部３０２と、マッピング部３０３と、受信信号処理部３０４と、測定部３０５と、を少なくとも備えている。
【０１７０】
制御部３０１は、基地局１０全体の制御を実施する。制御部３０１は、本発明に係る技術分野での共通認識に基づいて説明されるコントローラ、制御回路または制御装置から構成することができる。
【０１７１】
制御部３０１は、たとえば、送信信号生成部３０２による信号の生成や、マッピング部３０３による信号の割り当てを制御する。制御部３０１は、受信信号処理部３０４による信号の受信処理や、測定部３０５による信号の測定を制御する。
【０１７２】
制御部３０１は、下り信号および上り信号のスケジューリング（たとえば、リソース割り当て）を制御する。具体的には、制御部３０１は、下りデータチャネルのスケジューリング情報を含むＤＣＩ（ＤＬアサインメント、ＤＬグラント）、上りデータチャネルのスケジューリング情報を含むＤＣＩ（ＵＬグラント）を生成および送信するように、送信信号生成部３０２、マッピング部３０３および送受信部１０３を制御する。
【０１７３】
送信信号生成部３０２は、制御部３０１からの指示に基づいて、下り信号（下り制御チャネル、下りデータチャネル、ＤＭ−ＲＳ等の下り参照信号など）を生成して、マッピング部３０３に出力する。送信信号生成部３０２は、本発明に係る技術分野での共通認識に基づいて説明される信号生成器、信号生成回路または信号生成装置から構成することができる。
【０１７４】
マッピング部３０３は、制御部３０１からの指示に基づいて、送信信号生成部３０２で生成された下り信号を、所定の無線リソースにマッピングして、送受信部１０３に出力する。マッピング部３０３は、本発明に係る技術分野での共通認識に基づいて説明されるマッパー、マッピング回路またはマッピング装置から構成することができる。
【０１７５】
受信信号処理部３０４は、送受信部１０３から入力された受信信号に対して、受信処理（たとえば、デマッピング、復調、復号など）を行う。たとえば、受信信号は、ユーザ端末２０から送信される上り信号（上り制御チャネル、上りデータチャネル、上り参照信号など）である。受信信号処理部３０４は、本発明に係る技術分野での共通認識に基づいて説明される信号処理器、信号処理回路または信号処理装置から構成することができる。
【０１７６】
受信信号処理部３０４は、受信処理により復号された情報を制御部３０１に出力する。たとえば、受信処理部３０４は、プリアンブル、制御情報、ＵＬデータの少なくとも１つを制御部３０１に出力する。また、受信信号処理部３０４は、受信信号および受信処理後の信号を、測定部３０５に出力する。
【０１７７】
測定部３０５は、受信した信号に関する測定を実施する。測定部３０５は、本発明に係る技術分野での共通認識に基づいて説明される測定器、測定回路または測定装置から構成することができる。
【０１７８】
測定部３０５は、たとえば、受信した信号の受信電力（たとえば、ＲＳＲＰ（Reference  Signal  Received  Power））、受信品質（たとえば、ＲＳＲＱ（Reference  Signal  Received  Quality））やチャネル状態等について測定してもよい。測定結果は、制御部３０１に出力されてもよい。
【０１７９】
＜ユーザ端末＞
図１３は、本実施の形態に係るユーザ端末の全体構成の一例を示す図である。ユーザ端末２０は、複数の送受信アンテナ２０１と、アンプ部２０２と、送受信部２０３と、ベースバンド信号処理部２０４と、アプリケーション部２０５と、を備えている。送受信アンテナ２０１、アンプ部２０２、送受信部２０３は、それぞれ１つ以上を含むように構成されればよい。ユーザ端末２０は、下りデータの受信装置であり、上りデータの送信装置であってもよい。
【０１８０】
送受信アンテナ２０１で受信された無線周波数信号は、アンプ部２０２で増幅される。送受信部２０３は、アンプ部２０２で増幅された下り信号を受信する。送受信部２０３は、受信信号をベースバンド信号に周波数変換して、ベースバンド信号処理部２０４に出力する。送受信部２０３は、本発明に係る技術分野での共通認識に基づいて説明されるトランスミッター／レシーバー、送受信回路または送受信装置から構成することができる。送受信部２０３は、一体の送受信部として構成されてもよいし、送信部および受信部から構成されてもよい。
【０１８１】
ベースバンド信号処理部２０４は、入力されたベースバンド信号に対して、ＦＦＴ処理や、誤り訂正復号、再送制御の受信処理などを行う。下りデータは、アプリケーション部２０５に転送される。アプリケーション部２０５は、物理レイヤやＭＡＣレイヤより上位のレイヤに関する処理などを行う。下りデータのうち、システム情報や上位レイヤ制御情報もアプリケーション部２０５に転送される。
【０１８２】
ＵＬデータは、アプリケーション部２０５からベースバンド信号処理部２０４に入力される。ベースバンド信号処理部２０４では、再送制御の送信処理（たとえば、ＨＡＲＱの送信処理）や、チャネル符号化、プリコーディング、離散フーリエ変換（ＤＦＴ：Discrete  Fourier  Transform）処理、ＩＦＦＴ処理などが行われて送受信部２０３に転送される。送受信部２０３は、ベースバンド信号処理部２０４から出力されたベースバンド信号を無線周波数帯に変換して送信する。送受信部２０３で周波数変換された無線周波数信号は、アンプ部２０２により増幅され、送受信アンテナ２０１から送信される。
【０１８３】
送受信部２０３は、下り信号（たとえば、下り制御信号（下り制御チャネル）、下りデータ信号（下りデータチャネル、下り共有チャネル）、下り参照信号（ＤＭ−ＲＳ、ＣＳＩ−ＲＳ等）、ディスカバリ信号、同期信号、報知信号など）を受信する。送受信部２０３は、上り信号（たとえば、上り制御信号（上り制御チャネル）、上りデータ信号（上りデータチャネル、上り共有チャネル）、上り参照信号など）を送信する。
【０１８４】
送受信部２０３は、１以上のコンポーネントキャリアの上りリンク送信に適用する送信電力制御（ＴＰＣ）コマンドを含む下り制御情報（ＤＣＩ）を受信してもよい。送受信部２０３は、第１の上りリンク送信をスケジュールする第１のＤＣＩより前に、第１の上りリンク送信より後に前に送信機会を有する第２の上りリンク送信をスケジュールする第２のＤＣＩを送信してもよい。
【０１８５】
図１４は、本実施の形態に係るユーザ端末の機能構成の一例を示す図である。この図では、本実施の形態における特徴部分の機能ブロックを主に示しており、ユーザ端末２０は、無線通信に必要な他の機能ブロックも有しているものとする。ユーザ端末２０が有するベースバンド信号処理部２０４は、制御部４０１と、送信信号生成部４０２と、マッピング部４０３と、受信信号処理部４０４と、測定部４０５と、を少なくとも備えている。
【０１８６】
制御部４０１は、ユーザ端末２０全体の制御を実施する。制御部４０１は、本発明に係る技術分野での共通認識に基づいて説明されるコントローラ、制御回路または制御装置から構成することができる。
【０１８７】
制御部４０１は、たとえば、送信信号生成部４０２による信号の生成や、マッピング部４０３による信号の割り当てを制御する。制御部４０１は、受信信号処理部４０４による信号の受信処理や、測定部４０５による信号の測定を制御する。
【０１８８】
制御部４０１は、ＤＣＩのモニタ動作が指示された所定のコンポーネントキャリアにおいてＤＣＩを監視するよう制御してもよい。制御部４０１は、ＤＣＩのモニタ動作が複数のコンポーネントキャリアに対して設定されないと想定してもよい。制御部４０１は、複数のコンポーネントキャリア上でＤＣＩを監視するよう制御してもよい。
【０１８９】
制御部４０１は、スロットごとに複数のＤＣＩを受信することが設定されないと想定してもよい。制御部４０１は、ユーザ端末の処理時間能力によって、ＴＰＣコマンドの累積タイミングを設定してもよい。
【０１９０】
制御部４０１は、第１の上りリンク送信および第１の上りリンク送信の後に送信される第２の上りリンク送信に対して、第１の上りリンク送信をスケジュールする第１のＤＣＩより前に受信した第２の上りリンク送信をスケジュールする第２のＤＣＩに含まれるＴＰＣコマンドを累積して適用するよう制御してもよい。
【０１９１】
送信信号生成部４０２は、制御部４０１からの指示に基づいて、上り信号（上り制御チャネル、上りデータチャネル、上り参照信号など）を生成して、マッピング部４０３に出力する。送信信号生成部４０２は、本発明に係る技術分野での共通認識に基づいて説明される信号生成器、信号生成回路または信号生成装置から構成することができる。
【０１９２】
送信信号生成部４０２は、制御部４０１からの指示に基づいて上りデータチャネルを生成する。たとえば、送信信号生成部４０２は、基地局１０から通知される下り制御チャネルにＵＬグラントが含まれている場合に、制御部４０１から上りデータチャネルの生成を指示される。
【０１９３】
マッピング部４０３は、制御部４０１からの指示に基づいて、送信信号生成部４０２で生成された上り信号を無線リソースにマッピングして、送受信部２０３へ出力する。マッピング部４０３は、本発明に係る技術分野での共通認識に基づいて説明されるマッパー、マッピング回路またはマッピング装置から構成することができる。
【０１９４】
受信信号処理部４０４は、送受信部２０３から入力された受信信号に対して、受信処理（たとえば、デマッピング、復調、復号など）を行う。たとえば、受信信号は、基地局１０から送信される下り信号（下り制御チャネル、下りデータチャネル、下り参照信号など）である。受信信号処理部４０４は、本発明に係る技術分野での共通認識に基づいて説明される信号処理器、信号処理回路または信号処理装置から構成することができる。受信信号処理部４０４は、本発明に係る受信部を構成することができる。
【０１９５】
受信信号処理部４０４は、制御部４０１の指示に基づいて、下りデータチャネルの送信および受信をスケジューリングする下り制御チャネルをブラインド復号し、当該ＤＣＩに基づいて下りデータチャネルの受信処理を行う。受信信号処理部４０４は、ＤＭ−ＲＳまたはＣＲＳに基づいてチャネル利得を推定し、推定されたチャネル利得に基づいて、下りデータチャネルを復調する。
【０１９６】
受信信号処理部４０４は、受信処理により復号された情報を制御部４０１に出力する。受信信号処理部４０４は、たとえば、報知情報、システム情報、ＲＲＣシグナリング、ＤＣＩなどを、制御部４０１に出力する。受信信号処理部４０４は、データの復号結果を制御部４０１に出力してもよい。受信信号処理部４０４は、受信信号や、受信処理後の信号を、測定部４０５に出力する。
【０１９７】
測定部４０５は、受信した信号に関する測定を実施する。測定部４０５は、本発明に係る技術分野での共通認識に基づいて説明される測定器、測定回路または測定装置から構成することができる。
【０１９８】
測定部４０５は、たとえば、受信した信号の受信電力（たとえば、ＲＳＲＰ）、ＤＬ受信品質（たとえば、ＲＳＲＱ）やチャネル状態などについて測定してもよい。測定結果は、制御部４０１に出力されてもよい。
【０１９９】
（ハードウェア構成）
上記実施形態の説明に用いたブロック図は、機能単位のブロックを示している。これらの機能ブロック（構成部）は、ハードウェアおよびソフトウェアの少なくとも一方の任意の組み合わせによって実現される。各機能ブロックの実現方法は特に限定されない。すなわち、各機能ブロックは、物理的または論理的に結合した１つの装置を用いて実現されてもよいし、物理的または論理的に分離した２つ以上の装置を直接的または間接的に（たとえば、有線、無線などを用いて）接続し、これら複数の装置を用いて実現されてもよい。機能ブロックは、上記１つの装置または上記複数の装置にソフトウェアを組み合わせて実現されてもよい。
【０２００】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。たとえば、送信を機能させる機能ブロック（構成部）は、送信部（transmitting  unit）、送信機（transmitter）などと呼称されてもよい。いずれも、上述したとおり、実現方法は特に限定されない。
【０２０１】
たとえば、本開示の一実施形態における基地局、ユーザ端末などは、本開示の無線通信方法の処理を行うコンピュータとして機能してもよい。図１５は、一実施形態に係る基地局およびユーザ端末のハードウェア構成の一例を示す図である。上述の基地局１０およびユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０２０２】
以下の説明では、「装置」という文言は、回路、デバイス、ユニットなどに読み替えることができる。基地局１０およびユーザ端末２０のハードウェア構成は、図に示した各装置を１つまたは複数含むように構成されてもよいし、一部の装置を含まずに構成されてもよい。
【０２０３】
たとえば、プロセッサ１００１は１つだけ図示されているが、複数のプロセッサがあってもよい。処理は、１のプロセッサによって実行されてもよいし、処理が同時に、逐次に、またはその他の手法を用いて、２以上のプロセッサによって実行されてもよい。プロセッサ１００１は、１以上のチップによって実装されてもよい。
【０２０４】
基地局１０およびユーザ端末２０における各機能は、たとえば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２およびストレージ１００３におけるデータの読み出しおよび書き込みの少なくとも一方を制御したりすることによって実現される。
【０２０５】
プロセッサ１００１は、たとえば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。たとえば、上述のベースバンド信号処理部１０４（２０４）、呼処理部１０５などは、プロセッサ１００１によって実現されてもよい。
【０２０６】
プロセッサ１００１は、プログラム（プログラムコード）、ソフトウェアモジュール、データなどを、ストレージ１００３および通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。たとえば、ユーザ端末２０の制御部４０１は、メモリ１００２に格納され、プロセッサ１００１において動作する制御プログラムによって実現されてもよく、他の機能ブロックについても同様に実現されてもよい。
【０２０７】
メモリ１００２は、コンピュータ読み取り可能な記録媒体であり、たとえば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０２０８】
ストレージ１００３は、コンピュータ読み取り可能な記録媒体であり、たとえば、フレキシブルディスク、フロッピー（登録商標）ディスク、光磁気ディスク（たとえば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（たとえば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０２０９】
通信装置１００４は、有線ネットワークおよび無線ネットワークの少なくとも一方を介してコンピュータ間の通信を行うためのハードウェア（送受信デバイス）であり、たとえばネットワークデバイス、ネットワークコントローラ、ネットワークカード、通信モジュールなどともいう。通信装置１００４は、たとえば周波数分割複信（ＦＤＤ：Frequency  Division  Duplex）および時分割複信（ＴＤＤ：Time  Division  Duplex）の少なくとも一方を実現するために、高周波スイッチ、デュプレクサ、フィルタ、周波数シンセサイザなどを含んで構成されてもよい。たとえば、上述の送受信アンテナ１０１（２０１）、アンプ部１０２（２０２）、送受信部１０３（２０３）、伝送路インターフェース１０６などは、通信装置１００４によって実現されてもよい。送受信部１０３は、送信部１０３ａと受信部１０３ｂとで、物理的にまたは論理的に分離された実装がなされてもよい。
【０２１０】
入力装置１００５は、外部からの入力を受け付ける入力デバイス（たとえば、キーボード、マウス、マイクロフォン、スイッチ、ボタン、センサなど）である。出力装置１００６は、外部への出力を実施する出力デバイス（たとえば、ディスプレイ、スピーカー、ＬＥＤ（Light  Emitting  Diode）ランプなど）である。入力装置１００５および出力装置１００６は、一体となった構成（たとえば、タッチパネル）であってもよい。
【０２１１】
プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０２１２】
基地局１０およびユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部または全てが実現されてもよい。たとえば、プロセッサ１００１は、これらのハードウェアの少なくとも１つを用いて実装されてもよい。
【０２１３】
（変形例）
本開示において説明した用語および本開示の理解に必要な用語については、同一のまたは類似する意味を有する用語と置き換えてもよい。たとえば、チャネルおよびシンボルの少なくとも一方は信号（シグナリング）であってもよい。信号はメッセージであってもよい。参照信号は、ＲＳ（Reference  Signal）と略称することもでき、適用される標準によってパイロット（Pilot）、パイロット信号などと呼ばれてもよい。コンポーネントキャリア（ＣＣ：Component  Carrier）は、セル、周波数キャリア、キャリア周波数などと呼ばれてもよい。
【０２１４】
無線フレームは、時間領域において１つまたは複数の期間（フレーム）によって構成されてもよい。無線フレームを構成する当該１つまたは複数の各期間（フレーム）は、サブフレームと呼ばれてもよい。さらに、サブフレームは、時間領域において１つまたは複数のスロットによって構成されてもよい。サブフレームは、ニューメロロジー（numerology）に依存しない固定の時間長（たとえば、１ｍｓ）であってもよい。
【０２１５】
ここで、ニューメロロジーとは、ある信号またはチャネルの送信および受信の少なくとも一方に適用される通信パラメータであってもよい。たとえば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０２１６】
スロットは、時間領域において１つまたは複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。スロットは、ニューメロロジーに基づく時間単位であってもよい。
【０２１７】
スロットは、複数のミニスロットを含んでもよい。各ミニスロットは、時間領域において１つまたは複数のシンボルによって構成されてもよい。ミニスロットは、サブスロットと呼ばれてもよい。ミニスロットは、スロットよりも少ない数のシンボルによって構成されてもよい。ミニスロットより大きい時間単位で送信されるＰＤＳＣＨ（またはＰＵＳＣＨ）は、ＰＤＳＣＨ（ＰＵＳＣＨ）マッピングタイプＡと呼ばれてもよい。ミニスロットを用いて送信されるＰＤＳＣＨ（またはＰＵＳＣＨ）は、ＰＤＳＣＨ（ＰＵＳＣＨ）マッピングタイプＢと呼ばれてもよい。
【０２１８】
無線フレーム、サブフレーム、スロット、ミニスロットおよびシンボルは、いずれも信号を伝送する際の時間単位を表す。無線フレーム、サブフレーム、スロット、ミニスロットおよびシンボルは、それぞれに対応する別の呼称が用いられてもよい。
【０２１９】
たとえば、１サブフレームは送信時間間隔（ＴＴＩ：Transmission  Time  Interval）と呼ばれてもよいし、複数の連続したサブフレームがＴＴＩと呼ばれてよいし、１スロットまたは１ミニスロットがＴＴＩと呼ばれてもよい。つまり、サブフレームおよびＴＴＩの少なくとも一方は、既存のＬＴＥにおけるサブフレーム（１ｍｓ）であってもよいし、１ｍｓより短い期間（たとえば、１−１３シンボル）であってもよいし、１ｍｓより長い期間であってもよい。ＴＴＩを表す単位は、サブフレームではなくスロット、ミニスロットなどと呼ばれてもよい。
【０２２０】
ここで、ＴＴＩは、たとえば、無線通信におけるスケジューリングの最小時間単位のことをいう。たとえば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。ＴＴＩの定義はこれに限られない。
【０２２１】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。ＴＴＩが与えられたとき、実際にトランスポートブロック、コードブロック、コードワードなどがマッピングされる時間区間（たとえば、シンボル数）は、当該ＴＴＩよりも短くてもよい。
【０２２２】
１スロットまたは１ミニスロットがＴＴＩと呼ばれる場合、１以上のＴＴＩ（すなわち、１以上のスロットまたは１以上のミニスロット）が、スケジューリングの最小時間単位となってもよい。当該スケジューリングの最小時間単位を構成するスロット数（ミニスロット数）は制御されてもよい。
【０２２３】
１ｍｓの時間長を有するＴＴＩは、通常ＴＴＩ（ＬＴＥ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partialまたはfractional  TTI）、短縮サブフレーム、ショートサブフレーム、ミニスロット、サブスロット、スロットなどと呼ばれてもよい。
【０２２４】
ロングＴＴＩ（たとえば、通常ＴＴＩ、サブフレームなど）は、１ｍｓを超える時間長を有するＴＴＩで読み替えてもよいし、ショートＴＴＩ（たとえば、短縮ＴＴＩなど）は、ロングＴＴＩのＴＴＩ長未満かつ１ｍｓ以上のＴＴＩ長を有するＴＴＩで読み替えてもよい。
【０２２５】
リソースブロック（ＲＢ：Resource  Block）は、時間領域および周波数領域のリソース割当単位であり、周波数領域において、１つまたは複数個の連続した副搬送波（サブキャリア（subcarrier））を含んでもよい。
【０２２６】
ＲＢは、時間領域において、１つまたは複数個のシンボルを含んでもよく、１スロット、１ミニスロット、１サブフレームまたは１ＴＴＩの長さであってもよい。１ＴＴＩ、１サブフレームは、それぞれ１つまたは複数のリソースブロックによって構成されてもよい。
【０２２７】
１つまたは複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２２８】
リソースブロックは、１つまたは複数のリソースエレメント（ＲＥ：Resource  Element）によって構成されてもよい。たとえば、１ＲＥは、１サブキャリアおよび１シンボルの無線リソース領域であってもよい。
【０２２９】
上述した無線フレーム、サブフレーム、スロット、ミニスロットおよびシンボルなどの構造は例示に過ぎない。たとえば、無線フレームに含まれるサブフレームの数、サブフレームまたは無線フレームあたりのスロットの数、スロット内に含まれるミニスロットの数、スロットまたはミニスロットに含まれるシンボルおよびＲＢの数、ＲＢに含まれるサブキャリアの数、ならびにＴＴＩ内のシンボル数、シンボル長、サイクリックプレフィックス（ＣＰ：Cyclic  Prefix）長などの構成は、様々に変更することができる。
【０２３０】
本開示において説明した情報、パラメータなどは、絶対値を用いて表されてもよいし、所定の値からの相対値を用いて表されてもよいし、対応する別の情報を用いて表されてもよい。たとえば、無線リソースは、所定のインデックスによって指示されてもよい。
【０２３１】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）および情報要素は、あらゆる好適な名称によって識別できるので、これらの様々なチャネルおよび情報要素に割り当てている様々な名称は、いかなる点においても限定的な名称ではない。
【０２３２】
本開示において説明した情報、信号などは、様々な異なる技術のいずれかを使用して表されてもよい。たとえば、上記の説明全体に渡って言及され得るデータ、命令、コマンド、情報、信号、ビット、シンボル、チップなどは、電圧、電流、電磁波、磁界若しくは磁性粒子、光場若しくは光子、またはこれらの任意の組み合わせによって表されてもよい。
【０２３３】
情報、信号などは、上位レイヤから下位レイヤおよび下位レイヤから上位レイヤの少なくとも一方へ出力され得る。情報、信号などは、複数のネットワークノードを介して入出力されてもよい。
【０２３４】
入出力された情報、信号などは、特定の場所（たとえば、メモリ）に保存されてもよいし、管理テーブルを用いて管理してもよい。入出力される情報、信号などは、上書き、更新または追記をされ得る。出力された情報、信号などは、削除されてもよい。入力された情報、信号などは、他の装置へ送信されてもよい。
【０２３５】
情報の通知は、本開示において説明した態様／実施形態に限られず、他の方法を用いて行われてもよい。たとえば、情報の通知は、物理レイヤシグナリング（たとえば、下り制御情報（ＤＣＩ：Downlink  Control  Information）、上り制御情報（ＵＣＩ：Uplink  Control  Information））、上位レイヤシグナリング（たとえば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号またはこれらの組み合わせによって実施されてもよい。
【０２３６】
物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。ＲＲＣシグナリングは、ＲＲＣメッセージと呼ばれてもよく、たとえば、ＲＲＣ接続セットアップ（RRCConnectionSetup）メッセージ、ＲＲＣ接続再構成（RRCConnectionReconfiguration）メッセージなどであってもよい。ＭＡＣシグナリングは、たとえば、ＭＡＣ制御要素（ＭＡＣ  ＣＥ（Control  Element））を用いて通知されてもよい。
【０２３７】
所定の情報の通知（たとえば、「Ｘであること」の通知）は、明示的な通知に限られず、暗示的に（たとえば、当該所定の情報の通知を行わないことによってまたは別の情報の通知によって）行われてもよい。
【０２３８】
判定は、１ビットで表される値（０か１か）によって行われてもよいし、真（true）または偽（false）で表される真偽値（boolean）によって行われてもよいし、数値の比較（たとえば、所定の値との比較）によって行われてもよい。
【０２３９】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２４０】
ソフトウェア、命令、情報などは、伝送媒体を介して送受信されてもよい。たとえば、ソフトウェアが、有線技術（同軸ケーブル、光ファイバケーブル、ツイストペア、デジタル加入者回線（ＤＳＬ：Digital  Subscriber  Line）など）および無線技術（赤外線、マイクロ波など）の少なくとも一方を使用してウェブサイト、サーバ、または他のリモートソースから送信される場合、これらの有線技術および無線技術の少なくとも一方は、伝送媒体の定義内に含まれる。
【０２４１】
本開示において使用する「システム」および「ネットワーク」という用語は、互換的に使用され得る。
【０２４２】
本開示において、「プリコーディング」、「プリコーダ」、「ウェイト（プリコーディングウェイト）」、「擬似コロケーション（ＱＣＬ：Quasi-Co-Location）」、「送信電力」、「位相回転」、「アンテナポート」、「アンテナポートグル−プ」、「レイヤ」、「レイヤ数」、「ランク」、「ビーム」、「ビーム幅」、「ビーム角度」、「アンテナ」、「アンテナ素子」、「パネル」などの用語は、互換的に使用され得る。
【０２４３】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（transmission  point）」、「受信ポイント（reception  point）」、「送受信ポイント（transmission/reception  point）」、「セル」、「セクタ」、「セルグループ」、「キャリア」、「コンポーネントキャリア」、「帯域幅部分（ＢＷＰ：Bandwidth  Part）」などの用語は、互換的に使用され得る。基地局は、マクロセル、スモールセル、フェムトセル、ピコセルなどの用語で呼ばれる場合もある。
【０２４４】
基地局は、１つまたは複数（たとえば、３つ）のセル（セクタとも呼ばれる）を収容することができる。基地局が複数のセルを収容する場合、基地局のカバレッジエリア全体は複数のより小さいエリアに区分でき、各々のより小さいエリアは、基地局サブシステム（たとえば、屋内用の小型基地局（ＲＲＨ：Remote  Radio  Head））によって通信サービスを提供することもできる。「セル」または「セクタ」という用語は、このカバレッジにおいて通信サービスを行う基地局および基地局サブシステムの少なくとも一方のカバレッジエリアの一部または全体を指す。
【０２４５】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２４６】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアントまたはいくつかの他の適切な用語で呼ばれる場合もある。
【０２４７】
基地局および移動局の少なくとも一方は、送信装置、受信装置、通信装置などと呼ばれてもよい。基地局および移動局の少なくとも一方は、移動体に搭載されたデバイス、移動体自体などであってもよい。当該移動体は、乗り物（たとえば、車、飛行機など）であってもよいし、無人で動く移動体（たとえば、ドローン、自動運転車など）であってもよいし、ロボット（有人型または無人型）であってもよい。基地局および移動局の少なくとも一方は、必ずしも通信動作時に移動しない装置も含む。たとえば、基地局および移動局の少なくとも一方は、センサなどのＩｏＴ（Internet  of  Things）機器であってもよい。
【０２４８】
本開示における基地局は、ユーザ端末で読み替えてもよい。たとえば、基地局およびユーザ端末間の通信を、複数のユーザ端末間の通信（たとえば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。「上り」、「下り」などの文言は、端末間通信に対応する文言（たとえば、「サイド（side）」）で読み替えられてもよい。たとえば、上りチャネル、下りチャネルなどは、サイドチャネルで読み替えられてもよい。
【０２４９】
同様に、本開示におけるユーザ端末は、基地局で読み替えてもよい。この場合、上述のユーザ端末２０が有する機能を基地局１０が有する構成としてもよい。
【０２５０】
本開示において、基地局によって行われるとした動作は、場合によってはその上位ノード（upper  node）によって行われることもある。基地局を有する１つまたは複数のネットワークノード（network  nodes）を含むネットワークにおいて、端末との通信のために行われる様々な動作は、基地局、基地局以外の１つ以上のネットワークノード（たとえば、ＭＭＥ（Mobility  Management  Entity）、Ｓ−ＧＷ（Serving-Gateway）などが考えられるが、これらに限られない）またはこれらの組み合わせによって行われ得ることは明らかである。
【０２５１】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。たとえば、本開示において説明した方法については、例示的な順序を用いて様々なステップの要素を提示しており、提示した特定の順序に限定されない。
【０２５２】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（たとえば、ＬＴＥまたはＬＴＥ−Ａと、５Ｇとの組み合わせなど）適用されてもよい。
【０２５３】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２５４】
本開示において使用する「第１の」、「第２の」などの呼称を使用した要素へのいかなる参照も、それらの要素の量または順序を全般的に限定しない。これらの呼称は、２つ以上の要素間を区別する便利な方法として本開示において使用され得る。したがって、第１および第２の要素の参照は、２つの要素のみが採用され得ることまたは何らかの形で第１の要素が第２の要素に先行しなければならないことを意味しない。
【０２５５】
本開示において使用する「判断（決定）（determining）」という用語は、多種多様な動作を包含する場合がある。たとえば、「判断（決定）」は、判定（judging）、計算（calculating）、算出（computing）、処理（processing）、導出（deriving）、調査（investigating）、探索（looking  up、search、inquiry）（たとえば、テーブル、データベースまたは別のデータ構造での探索）、確認（ascertaining）などを「判断（決定）」することであるとみなされてもよい。
【０２５６】
「判断（決定）」は、受信（receiving）（たとえば、情報を受信すること）、送信（transmitting）（たとえば、情報を送信すること）、入力（input）、出力（output）、アクセス（accessing）（たとえば、メモリ中のデータにアクセスすること）などを「判断（決定）」することであるとみなされてもよい。
【０２５７】
「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２５８】
「判断（決定）」は、「想定する（assuming）」、「期待する（expecting）」、「みなす（considering）」などで読み替えられてもよい。
【０２５９】
本開示に記載の「最大送信電力」は送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０２６０】
本開示において使用する「接続された（connected）」、「結合された（coupled）」という用語、またはこれらのあらゆる変形は、２またはそれ以上の要素間の直接的または間接的なあらゆる接続または結合を意味し、互いに「接続」または「結合」された２つの要素間に１またはそれ以上の中間要素が存在することを含むことができる。要素間の結合または接続は、物理的であっても、論理的であっても、あるいはこれらの組み合わせであってもよい。たとえば、「接続」は「アクセス」で読み替えられてもよい。
【０２６１】
本開示において、２つの要素が接続される場合、１つ以上の電線、ケーブル、プリント電気接続などを用いて、ならびにいくつかの非限定的かつ非包括的な例として、無線周波数領域、マイクロ波領域、光（可視および不可視の両方）領域の波長を有する電磁エネルギーなどを用いて、互いに「接続」または「結合」されると考えることができる。
【０２６２】
本開示において、「ＡとＢが異なる」という用語は、「ＡとＢが互いに異なる」ことを意味してもよい。「離れる」、「結合される」などの用語も同様に解釈されてもよい。
【０２６３】
本開示において、「含む（include）」、「含んでいる（including）」およびこれらの変形が使用されている場合、これらの用語は、用語「備える（comprising）」と同様に、包括的であることが意図される。さらに、本開示において使用されている用語「または（or）」は、排他的論理和ではないことが意図される。
【０２６４】
本開示において、たとえば、英語でのa,  anおよびtheのように、翻訳によって冠詞が追加された場合、本開示は、これらの冠詞の後に続く名詞が複数形であることを含んでもよい。
【０２６５】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨および範囲を逸脱することなく修正および変更態様として実施することができる。したがって、本開示の記載は、例示説明を目的とし、本開示に係る発明に対して何ら制限的な意味をもたらさない。
【図１】
2020008647.tif 000006
【図２】
2020008647.tif 000007
【図３】
2020008647.tif 000008
【図４】
2020008647.tif 000009
【図５】
2020008647.tif 000010
【図６】
2020008647.tif 000011
【図７】
2020008647.tif 000012
【図８】
2020008647.tif 000013
【図９】
2020008647.tif 000014
【図１０】
2020008647.tif 000015
【図１１】
2020008647.tif 000016
【図１２】
2020008647.tif 000017
【図１３】
2020008647.tif 000018
【図１４】
2020008647.tif 000019
【図１５】
2020008647.tif 000020
【国際調査報告】
2020008647.tif 000021
2020008647.tif 000022